(57)【要約】【課題】遊技の興趣が高い遊技機を提供する。【解決手段】パチンコ遊技機は、２Ｒ非確変大当り遊技状態（時短１００回）又は７Ｒ確変大当り遊技状態となる場合に第１特定演出を実行し、２Ｒ非確変大当り遊技状態（時短３０回）又は１５Ｒ確変大当り遊技状態となる場合に第２特定演出を実行する。また、予告演出によって、確変状態に制御されることを示唆する。このような遊技機において、第２特定演出が実行される場合であって確変状態に制御されるときに、第１特定演出が実行される場合であって確変状態に制御されるときにときよりも高い割合で予告演出を実行する。【選択図】図２３
2014030624.tif 000002
【特許請求の範囲】
【請求項１】
各々を識別可能な複数種類の識別情報の可変表示を行い表示結果を導出する可変表示手段に予め定められた特定表示結果が導出されたときに、遊技者にとって有利な特定遊技状態に制御する遊技機であって、
前記特定遊技状態の終了後に、通常状態よりも遊技者にとって有利な有利状態に制御する遊技状態制御手段と、
前記特定遊技状態の終了後に前記有利状態に制御するか否かと、前記有利状態に制御するときに第１特定遊技状態と該第１特定遊技状態よりも遊技者に付与される価値が高い第２特定遊技状態とを含む複数種類の特定遊技状態の何れかに制御するかと、を決定する決定手段と、
前記特定遊技状態の終了後に前記有利状態に制御するか否かを報知するための演出であって、第１特定演出と第２特定演出とを含む複数種類の特定演出のうちの何れかを実行する特定演出実行手段と、
前記特定遊技状態の終了後に前記有利状態に制御される可能性が高いことを示唆する予告演出を前記特定演出の前に実行する予告演出実行手段と、
を備え、
前記特定演出実行手段は、
前記第１特定演出が実行されたときに前記有利状態に制御される割合が、前記第２特定演出が実行されたときに前記有利状態に制御される割合よりも高くなるように、前記特定演出を実行するとともに、
前記第１特定遊技状態に制御する場合、前記第１特定演出を実行する一方、前記第２特定遊技状態に制御する場合、前記第２特定演出を実行し、
前記予告演出実行手段は、前記第２特定演出を実行するときには前記第１特定演出を実行するときよりも高い割合で、前記予告演出を実行する、
ことを特徴とする遊技機。
【発明の詳細な説明】
【技術分野】
【０００１】
本発明は、各々を識別可能な複数種類の識別情報の可変表示を行い表示結果を導出する可変表示手段に予め定められた特定表示結果が導出されたときに、遊技者にとって有利な特定遊技状態に制御する遊技機に関する。
【背景技術】
【０００２】
遊技機として、遊技媒体などの遊技媒体を発射装置によって遊技領域に発射し、遊技領域に設けられている入賞口などの入賞領域に遊技媒体が入賞すると、所定個の賞球といった景品遊技媒体が遊技者に付与されるものがある。さらに、所定の入賞領域（始動入賞口）に遊技媒体が入賞する（始動条件が成立する）と識別情報を可変表示（「変動」ともいう）可能な可変表示装置が設けられ、可変表示装置において識別情報の可変表示の表示結果が特定表示結果（大当り図柄）となった場合に遊技者にとって有利な特定遊技状態（大当り遊技状態）に制御可能に構成されたものがある。
【０００３】
このような遊技機には、特定遊技状態となるか否かと、特定遊技状態となる場合に複数種の特定遊技状態の何れに制御されるかと、を報知する特定演出（バトル演出）を実行する遊技機も提案されている（例えば特許文献１）。
特許文献１の遊技機では、終了後に有利状態（例えば確変状態）となる特定遊技状態（例えば確変大当り）又は通常状態となる特定遊技状態（例えば非確変大当り）の何れに制御されるかを特定演出にて報知する。また、特定演出が実行される前に、特定演出が実行されることなどを予告する複数種類の予告演出も実行可能になっている。
【先行技術文献】
【特許文献】
【０００４】
【特許文献１】特開２００９−１４２５８３号公報
【発明の概要】
【発明が解決しようとする課題】
【０００５】
特許文献１の遊技機では、特定演出が実行された場合に、終了後に有利状態（例えば確変状態）となる特定遊技状態（例えば確変大当り）に制御される割合は一定であった。そのため、複数の特定演出を実行するとしても、予告演出が実行されるか否かによって、何れの特定演出が実行されるかに対する遊技者の注目度が低く、遊技の興趣が低かった。
【０００６】
本発明は、上記実情に鑑みてなされたものであり、遊技の興趣が高い遊技機を提供することを目的とする。
【課題を解決するための手段】
【０００７】
上記目的を達成するため、本発明の遊技機は、
（１）各々を識別可能な複数種類の識別情報（例えば、特別図柄や飾り図柄など）の可変表示を行い表示結果を導出する可変表示手段に予め定められた特定表示結果（例えば、大当り図柄となる特別図柄や大当り組合せの確定飾り図柄など）が導出されたときに、遊技者にとって有利な特定遊技状態（例えば、大当り遊技状態など）に制御する遊技機（例えば、パチンコ遊技機１など）であって、
前記特定遊技状態の終了後に、通常状態よりも遊技者にとって有利な有利状態（例えば確変状態など）に制御する遊技状態制御手段（例えば、図１４の大当り終了処理のＳ３２３にて確変フラグをＯＮにするＣＰＵ１０３など）と、
前記特定遊技状態の終了後に前記有利状態に制御するか否かと、前記有利状態に制御するときに第１特定遊技状態（例えば７Ｒ大当たり遊技状態など）と該第１特定遊技状態よりも遊技者に付与される価値が高い第２特定遊技状態（例えば１５Ｒ大当たり遊技状態など）とを含む複数種類の特定遊技状態の何れかに制御するかと、を決定する決定手段（例えば、図９の特別図柄通常処理のＳ２４０で大当りとなると決定した場合に、Ｓ２４２で大当り種別を決定するＣＰＵ１０３など）と、
前記特定遊技状態の終了後に前記有利状態に制御するか否かを報知するための演出であって、第１特定演出（例えば、図２５や図２６に示す第１特定演出など）と第２特定演出（例えば、図２７や図２８に示す第２特定演出など）とを含む複数種類の特定演出のうちの何れかを実行する特定演出実行手段（例えば、図１１の変動パターン設定処理で送信される変動開始時コマンドに基づいて、図２２の可変表示開始設定処理のステップＳ５０９にて大当り種別に応じた演出制御パターンを選択する演出制御用ＣＰＵ１２０など）と、
前記特定遊技状態の終了後に前記有利状態に制御される可能性が高いことを示唆する予告演出（例えば、普通予告演出や特定予告演出など）を前記特定演出の前に実行する予告演出実行手段（例えば、図２２のステップＳ５０７にて、図２３の予告演出決定テーブルを用いて予告演出実行の有無及び実行される予告演出の種別を決定し、図２４のステップＳ５２２で演出動作制御を行う演出制御用ＣＰＵ１２０など）と、
を備え、
前記特定演出実行手段は、
前記第１特定演出が実行されたときに前記有利状態に制御される割合が、前記第２特定演出が実行されたときに前記有利状態に制御される割合よりも高くなるように、前記特定演出を実行するとともに（例えば、図１０（Ｂ）参照）、
前記第１特定遊技状態に制御する場合、前記第１特定演出を実行する一方（例えば、図２２のステップＳ５０９において、７Ｒ確変の場合には第１特定演出を含む演出パターンを選択する部分）、前記第２特定遊技状態に制御する場合、前記第２特定演出を実行し（例えば、図２２のステップＳ５０９において、１５Ｒ確変の場合には第２特定演出を含む演出パターンを選択する部分など）、
前記予告演出実行手段は、前記第２特定演出を実行するときには前記第１特定演出を実行するときよりも高い割合で、前記予告演出を実行する（図２３参照）、
ことを特徴とする。
このような構成によれば、第２特定演出が実行された場合、識別情報の表示結果が特定表示結果となれば、付与される価値は高くなるが、特定遊技状態の終了後に有利状態となる可能性は低くなる。一方、第１特定演出が実行された場合、識別情報の表示結果が特定表示結果となれば、付与される価値は低くなるが、特定遊技状態に終了後に有利状態となる可能性が高くなる。そして、予告演出が実行された場合には、その後に第１特定演出が第２特定演出よりも高い割合で実行される。これにより、予告演出が実行されるか否かによって、第１特定演出及び第２特定演出のうちのいずれが実行されるか、さらに言えば、付与される価値の高さや、特定遊技状態の終了後に有利状態に制御される可能性が異なってくるため、遊技者は予告演出の有無に注目するようになり、遊技の興趣が向上する。
【０００８】
（２）上記（１）の遊技機において、前記遊技状態制御手段は、前記予告演出が実行されてから前記第２特定演出が実行される場合、前記予告演出が実行されることなく前記第１特定演出が実行される場合よりも高い割合で、前記特定遊技状態の終了後に前記有利状態に制御する（例えば、図２３の予告演出決定テーブルにおいて、予告演出が実行された場合であって第２特定演出が実行されたときに１５Ｒ確変となる確率が、予告演出が実行されない場合であって第１特定演出が実行されたときに７Ｒ確変となる確率よりも高いように割り当てられた予告演出が存在する部分など）、としても良い。
このような構成によれば遊技者が、予告演出が実行された場合に第２特定演出から有利状態となる割合が、予告演出が実行されない場合に第１特定演出が実行された場合に有利状態となる割合よりも大きくなる。そのため、遊技者が予告演出が実行されるか否かにより注目するようになり、遊技の興趣が向上する。
【０００９】
（３）上記（１）又は（２）の遊技機において、前記予告演出実行手段は、前記第１特定遊技状態及び前記第２特定遊技状態に制御することを条件に、前記予告演出のうちの特定予告演出（例えば、特定予告演出など）を実行する（例えば、図２３の予告演出決定テーブルのうち、７Ｒ確変・１５Ｒ確変にのみ特定予告演出が割り当てられている部分など）、としても良い。
このような構成によれば、特定予告演出が実行された場合に必ず第１又は第２特定遊技状態を経て有利状態（確変状態）に制御される。そのため、遊技者に対して特定予告演出が実行されることへの高い期待感を与えることができ、遊技の興趣がさらに向上する。
【００１０】
（４）上記（１）から（３）のいずれかの遊技機において、前記遊技状態制御手段は、複数種類の特定遊技状態のうちの第３特定遊技状態（例えば、大当り種別が「２Ｒ非確変（時短１００回）」である場合の２Ｒ大当り遊技状態など）の終了後、又は該第３特定遊技状態よりも遊技者に付与される価値が高い第４特定遊技状態（例えば、大当り種別が「２Ｒ非確変（時短３０回）」である場合の２Ｒ大当り遊技状態など）の終了後に、前記通常状態に制御し（例えば、ＣＰＵ１０３が図１３のステップＳ３５２において確変フラグをオフにする処理を実行した上で、２Ｒ大当り遊技状態となった場合には図１４のステップＳ３２３で確変フラグをオンにしない部分など）、
前記特定演出実行手段は、前記第３特定遊技状態に制御する場合、前記第１特定演出を実行する（例えば、２Ｒ非確変（時短１００回）の場合には図２２のステップＳ５０９において第１特定演出を含む演出パターンを選択する部分など）一方で、前記第４特定遊技状態に制御制御する場合、前記第２特定演出を実行する（例えば、２Ｒ非確変（時短３０回）の場合には図２２のステップＳ５０９において第２特定演出を含む演出パターンを選択する部分など）、としても良い。
このような構成によれば、第２特定演出が実行された場合に有利状態とならないときに付与される価値が小さいため、第２特定演出がハイリスクハイリターンとなる。そのため、第２特定演出によって強く遊技者の期待感を煽ることができる。
【００１１】
（５）上記（１）から（４）のいずれかの遊技機において、遊技領域に設けられた始動領域（例えば、第１始動入賞口や第２始動入賞口など）に遊技媒体（例えば、遊技球など）が進入したことに基づいて、前記識別情報の可変表示を開始する可変表示開始手段（例えば、図３のステップＳ１０１にて第１又は第２始動口スイッチがオンであった場合に保留記録数カウンタをアップして、ステップＳ１１０、Ｓ１１１、Ｓ１１２及びＳ１１３を実行するＣＰＵ１０３など）と、
前記始動領域に前記遊技媒体が進入したときに、前記事前決定手段が決定に用いるための決定用情報（例えば、乱数値ＭＲ１〜ＭＲ３など）を抽出する抽出手段（例えば、図４の始動入賞判定処理のステップＳ２０９にて乱数値ＭＲ１〜ＭＲ３を抽出するＣＰＵ１０３など）と、
前記始動領域に前記遊技媒体が進入したにもかかわらず未だ開始されていない前記識別情報の可変表示について、前記抽出手段が抽出した前記決定用情報を保留記憶する保留記憶手段（例えば、特図保留記憶部など）と、
前記決定手段による決定前に、前記決定用情報を用いて、前記特定遊技状態に制御されるか否かと、前記複数種類の特定遊技状態のいずれに制御されるかと、を判定する判定手段（例えば、図７の入賞時乱数値判定処理を実行するＣＰＵ１０３など）と、
前記判定手段の判定結果に基づいて、当該判定結果の対象となる前記決定用情報の前記識別情報の可変表示が開始される前に、前記複数種類の特定遊技状態のいずれかに制御される可能性を予告する先読み演出を実行する先読み演出実行手段（例えば、図２０のステップＳ６５７、Ｓ６５８、Ｓ６６０又はＳ６６１で先読み演出を含む演出内容を決定し、ステップＳ６６２で先読み演出の演出動作を制御する演出制御用ＣＰＵ１２０など）と、
を備え、
前記先読み演出実行手段は、前記第１特定遊技状態又は前記第２特定遊技状態に制御される可能性を予告する第１先読み演出（例えば、有利先読み演出など）と、前記第１特定遊技状態又は前記第２特定遊技状態以外の特定遊技状態に制御される可能性を予告する第２先読み演出（例えば、不利先読み演出など）と、を実行可能であり、前記有利状態に制御されている場合には、前記第２先読み演出を前記第１先読み演出よりも高い割合で実行し、前記通常状態に制御されている場合には、前記第１先読み演出を前記第２先読み演出よりも高い割合で実行する（図２１参照）、としても良い。
このような構成によれば、特別遊技状態に制御されているときには特別遊技状態が終了することを予告する第２先読み演出が実行されやすく、特別遊技状態に制御されていないときには特別遊技状態が実行されることを予告する第１予告演出が実行されやすいので、遊技者が注目する予告演出を効果的に実行することができ、遊技の興趣を向上させることができる。
【図面の簡単な説明】
【００１２】
【図１】本願発明の一実施形態におけるパチンコ遊技機の正面図である。
【図２】パチンコ遊技機に搭載された各種の制御基板などを示す構成図である。
【図３】特別図柄プロセス処理の一例を示すフローチャートである。
【図４】始動入賞判定処理の一例を示すフローチャートである。
【図５】主基板側で使用される乱数値の一例を示す図である。
【図６】第１特図保留記憶部及び第２特図保留記憶部の記憶内容の一例を示す図である。
【図７】入賞時乱数値判定処理の一例を示すフローチャートである。
【図８】入賞時判定結果指定コマンドの内容の一例を示す図である。
【図９】特別図柄通常処理の一例を示すフローチャートである。
【図１０】特図表示結果や大当り種別の決定テーブルの一例を示す説明図である。
【図１１】変動パターン設定処理の一例を示すフローチャートである。
【図１２】変動パターンの一例を示す図である。
【図１３】特別図柄停止処理の一例を示すフローチャートである。
【図１４】大当り終了処理の一例を示すフローチャートである。
【図１５】各種大当り遊技状態に制御された後の遊技状態を説明する図である。
【図１６】演出制御メイン処理の一例を示すフローチャートである。
【図１７】コマンド解析処理の一例を示すフローチャートである。
【図１８】第１保留情報バッファ及び第２保留情報バッファそれぞれの記憶内容の一例を示す図である。
【図１９】演出制御プロセス処理の一例を示すフローチャートである。
【図２０】先読み演出設定処理の一例を示すフローチャートである。
【図２１】先読み演出決定テーブルの一例を示す図である。
【図２２】可変表示開始設定処理の一例を示すフローチャートである。
【図２３】予告演出決定テーブルの一例を示す図である。
【図２４】可変表示中演出処理の一例を示すフローチャートである。
【図２５】第１特定演出実行時に画像表示装置の表示領域に表示される画像の一例を示す図である。
【図２６】第１特定演出実行時に画像表示装置の表示領域に表示される画像の一例を示す図である。
【図２７】第２特定演出実行時に画像表示装置の表示領域に表示される画像の一例を示す図である。
【図２８】第２特定演出実行時に画像表示装置の表示領域に表示される画像の一例を示す図である。
【発明を実施するための形態】
【００１３】
以下、図面を参照しつつ、本発明の一実施形態を詳細に説明する。図１は、パチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１４】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。
【００１５】
なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１６】
第１特別図柄表示装置４Ａと第２特別図柄表示装置４Ｂとはそれぞれ、特別図柄の可変表示終了時に、上記の可変表示の結果として、確定特別図柄を導出表示（ここでは、停止表示）する。可変表示中に表示される特別図柄と、確定特別図柄（つまり、導出表示される可変表示結果）とは同じであっても良いし、異なるものであってもよい。つまり、第１特別図柄表示装置４Ａと第２特別図柄表示装置４Ｂとのうちの少なくとも一方は、可変表示する複数の特別図柄のうちのいずれかの特別図柄を確定特別図柄（つまり、可変表示結果）として導出表示してもよいし（例えば、「０」〜「９」を可変表示して、「１」を確定特別図柄として表示する。）、可変表示する複数の特別図柄以外の特別図柄を確定特別図柄（つまり、可変表示結果）として導出表示してもよい（例えば、「０」〜「９」を可変表示して、「−」を確定特別図柄として表示する。）。
【００１７】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００１８】
一例として、画像表示装置５の表示領域には、「左」、「中」、「右」の飾り図柄表示エリア５Ｌ、５Ｃ、５Ｒが配置されている。そして、第１特別図柄表示装置４Ａによる第１特図の変動と第２特別図柄表示装置４Ｂによる第２特図の変動のうち、いずれかの特図ゲームが開始されることに対応して、「左」、「中」、「右」の各飾り図柄表示エリア５Ｌ、５Ｃ、５Ｒでは飾り図柄の変動（例えば上下方向のスクロール表示、飾り図柄の拡大・縮小など）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示の終了時に可変表示結果となる確定飾り図柄を導出表示（あるいは単に「導出」ともいう）する。なお、識別可能な複数種類の飾り図柄の可変表示には、可変表示の開始時には表示されていなかった新たな飾り図柄が登場して変動する態様があってもよい。
【００１９】
なお、特別図柄と同様に、可変表示中に表示される飾り図柄と、確定飾り図柄（つまり、導出表示される可変表示結果）を構成する飾り図柄とは同じであっても良いし、異なるものであってもよい。各飾り図柄表示エリア５Ｌ、５Ｃ、５Ｒにおいて、例えば、「０」〜「９」を可変表示して、「１」を確定飾り図柄として表示してもよいし、例えば、「０」〜「９」を可変表示して、「０」〜「９」以外の飾り図柄を確定飾り図柄として表示してもよい。
【００２０】
図１に示すパチンコ遊技機１の構成例では、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００２１】
第１特図保留記憶数は、例えば第１始動入賞口に遊技球が進入（例えば、通過）する第１始動入賞の発生により、第１特別図柄表示装置４Ａによる第１特図を用いた特図ゲームの始動条件（第１始動条件）が成立したときに、当該第１始動条件の成立に基づく第１特図を用いた特図ゲームを開始するための第１開始条件が成立しなければ１つ加算（インクリメント）される。これにより、第１特図を用いた特図ゲームの実行が保留される。
【００２２】
第２特図保留記憶数は、例えば第２始動入賞口に遊技球が進入（例えば、通過）する第２始動入賞の発生により、第２特別図柄表示装置４Ｂによる第２特図を用いた特図ゲームの始動条件（第２始動条件）が成立したときに、当該第２始動条件の成立に基づく第２特図を用いた特図ゲームを開始するための第２開始条件が成立しなければ１つ加算（インクリメント）される。これにより、第２特図を用いた特図ゲームの実行が保留される。
【００２３】
第１特図を用いた特図ゲームの実行が開始されるときには、第１特図保留記憶数が１つ減算（デクリメント）される。第２特図を用いた特図ゲームの実行が開始されるときには、第２特図保留記憶数が１つ減算（デクリメント）される。
【００２４】
このように、普通入賞球装置６Ａが形成する第１始動入賞口や普通可変入賞球装置６Ｂが形成する第２始動入賞口に遊技球が進入（始動入賞）したことに基づき、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームを開始するための開始条件は成立していないときには、可変表示の保留が発生する。
【００２５】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。
【００２６】
画像表示装置５の表示領域には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示（適宜、保留表示ともいう。）が行われる。この実施の形態では、特図保留記憶数と同じ数の所定図柄（ここでは、丸印の画像である。以下、保留表示図柄という。）を始動入賞記憶表示エリア５Ｈに表示することによって、特図保留記憶数が表示される。この実施の形態では、第１特図保留記憶数と第２特図保留記憶数とが別々に表示される。第１特図保留記憶数は、始動入賞記憶表示エリア５Ｈにおける左側の領域に第１特図保留記憶数と同じ数の保留表示図柄が表示されることによって表示され（第１保留表示）、第２特図保留記憶数は、始動入賞記憶表示エリア５Ｈにおける右側の領域に第２特図保留記憶数と同じ数の保留表示図柄が表示されることによって表示される（第２保留表示）。保留表示図柄は、各領域において、左詰めで表示される。このような表示によって、保留された可変表示と、この保留された可変表示を表示する保留表示図柄の対応関係と、が明確になっている。
【００２７】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用のソレノイド８１によって垂直位置となる閉鎖状態と傾動位置となる開放状態とに変化する一対の可動翼片を有する電動チューリップ型役物（普通電動役物）を備え、第２始動入賞口を形成する。
【００２８】
一例として、普通可変入賞球装置６Ｂでは、普通電動役物用のソレノイド８１がオフ状態であるときに可動翼片が垂直位置となることにより、第２始動入賞口に遊技球が進入しない閉鎖状態にする。その一方で、普通可変入賞球装置６Ｂでは、普通電動役物用のソレノイド８１がオン状態であるときに可動翼片が傾動位置となることにより、第２始動入賞口に遊技球が進入できる開放状態にする。なお、普通可変入賞球装置６Ｂは、ソレノイド８１がオフ状態であるときに通常開放状態となり、第２始動入賞口に遊技球が進入できる一方、ソレノイド８１がオン状態であるときの拡大開放状態よりも遊技球が進入しにくいように構成してもよい。このように、普通可変入賞球装置６Ｂは、第２始動入賞口に遊技球が進入可能な開放状態または拡大開放状態といった第１可変状態と、遊技球が進入不可能な閉鎖状態または進入困難な通常開放状態といった第２可変状態とに、変化できるように構成されている。
【００２９】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数（例えば３個）の遊技球が賞球（景品遊技媒体）として払い出され、第１保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２保留記憶数が所定の上限値以下であれば、第２始動条件が成立する。
【００３０】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００３１】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００３２】
一例として、特別可変入賞球装置７では、大入賞口扉用のソレノイド８２がオフ状態であるときに大入賞口扉が大入賞口を閉鎖状態として、遊技球が大入賞口に進入（例えば、通過）できなくする。その一方で、特別可変入賞球装置７では、大入賞口扉用のソレノイド８２がオン状態であるときに大入賞口扉が大入賞口を開放状態として、遊技球が大入賞口に進入しやすくする。このように、特定領域としての大入賞口は、遊技球が進入しやすく遊技者にとって有利な開放状態と、遊技球が進入できず遊技者にとって不利な閉鎖状態とに変化する。なお、遊技球が大入賞口に進入できない閉鎖状態に代えて、あるいは閉鎖状態の他に、遊技球が大入賞口に進入しにくい一部開放状態を設けてもよい。
【００３３】
大入賞口に進入した遊技球は、例えば図２に示すカウントスイッチ２３によって検出される。カウントスイッチ２３によって遊技球が検出されたことに基づき、所定個数（例えば１４個）の遊技球が賞球として払い出される。こうして、特別可変入賞球装置７において開放状態となった大入賞口に遊技球が進入したときには、例えば第１始動入賞口や第２始動入賞口といった、他の入賞口に遊技球が進入したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態（又は一部開放状態）となれば、大入賞口に遊技球を進入させて賞球を得ることが不可能または困難になり、遊技者にとって不利な第２状態となる。
【００３４】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。通過ゲート４１を通過した遊技球は、例えば図２に示すゲートスイッチ２１によって検出される。
【００３５】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３６】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、例えば、打球発射装置が備える発射モータの駆動を停止させるための単発発射スイッチや、タッチリング（タッチセンサ）が設けられていればよい。
【００３７】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００３８】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば払出制御基板、情報端子基板、発射制御基板、インタフェース基板、タッチセンサ基板などといった、各種の基板が配置されている。
【００３９】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号を受信する機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。
【００４０】
主基板１１には、例えば遊技制御用マイクロコンピュータ１００やスイッチ回路１１０、ソレノイド回路１１１などが搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１や大入賞口扉用のソレノイド８２に伝送する。
【００４１】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９や装飾用ＬＥＤといった演出用の電気部品による演出動作を制御するための各種回路が搭載されている。例えば、演出制御基板１２は、画像表示装置５における表示動作や、スピーカ８Ｌ、８Ｒからの音声出力動作の全部または一部、遊技効果ランプ９や装飾用ＬＥＤなどにおける点灯／消灯動作の全部または一部といった、演出用の電気部品に所定の演出動作を実行させるための制御を行う機能を備えている。
【００４２】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や装飾用ＬＥＤなどにおける点灯／消灯駆動を行うランプドライバ回路などが搭載されている。
【００４３】
図２に示すように、主基板１１には、ゲートスイッチ２１、始動口スイッチ（第１始動口スイッチ２２Ａおよび第２始動口スイッチ２２Ｂ）、カウントスイッチ２３といった、各種スイッチからの検出信号を伝送する配線が接続されている。なお、各種スイッチは、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０などの表示制御を行うための指令信号を伝送する配線が接続されている。
【００４４】
主基板１１から演出制御基板１２に向けて伝送される制御信号（制御コマンド）は、中継基板１５によって中継される。中継基板１５を介して主基板１１から演出制御基板１２に対して伝送される制御コマンドは、例えば電気信号として送受信される演出制御コマンドである。
【００４５】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００４６】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００４７】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５などは外付けされてもよい。
【００４８】
遊技制御用マイクロコンピュータ１００では、例えば乱数回路１０４などにより、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４などのハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域に設けられたランダムカウンタや、ＲＡＭ１０２とは別個の内部レジスタに設けられたランダムカウンタに、所定の乱数値を示す数値データを格納し、ＣＰＵ１０３が定期的または不定期的に格納値を更新することで、乱数値の更新が行われるようにしてもよい。
【００４９】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータなどが、記憶されている。
【００５０】
遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。こうしたＲＡＭ１０２には、パチンコ遊技機１における遊技の進行などを制御するために用いられる各種のデータが記憶される。
【００５１】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００５２】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０が表示制御指令（表示制御信号）を表示制御部１２３に供給し表示制御部１２３を制御する表示制御動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００５３】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。
【００５４】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。演出用乱数は、演出制御用ＣＰＵ１２０が所定のコンピュータプログラムを実行することでソフトウェアによって更新されるものであってもよい。例えば、ＲＡＭ１２２の所定領域に設けられたランダムカウンタや、ＲＡＭ１２２とは別個の内部レジスタに設けられたランダムカウンタに、所定の乱数値を示す数値データを格納し、演出制御用ＣＰＵ１２０が定期的または不定期的に格納値を更新することで、乱数値の更新が行われるようにしてもよい。
【００５５】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御基板１２に搭載されたＲＡＭ１２２には、演出動作を制御するために用いられる各種データが記憶される。
【００５６】
演出制御基板１２に搭載された表示制御部１２３は、演出制御用ＣＰＵ１２０からの表示制御指令（表示制御信号）などに基づき、画像表示装置５における表示動作を制御する。例えば、表示制御部１２３は、画像表示装置５の表示領域内に表示させる演出画像の切換タイミングを決定することなどにより、飾り図柄の可変表示や各種の演出表示を実行させるための制御を行う。一例として、表示制御部１２１には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【００５７】
演出制御基板１２に搭載されたＩ／Ｏ１２５は、例えば主基板１１などから伝送された演出制御コマンドなどを取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）などが出力される。
【００５８】
上記のような構成によって、演出制御用ＣＰＵ１２０は、音声制御基板１３を介してスピーカ８Ｌ、８Ｒを制御して音声を出力させたり、ランプ制御基板１４を介して遊技効果ランプ９や装飾用ＬＥＤなどにおける点灯／消灯駆動を行わせたり、表示制御部１２３を介して画像表示装置５の表示領域に演出画像を表示させたりして、各種の演出（リーチ演出など、遊技の盛り上げるための演出など）を実行する。
【００５９】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。遊技領域を流下した遊技球が、普通入賞球装置６Ａに形成された第１始動入賞口（第１始動領域）を進入する始動入賞（第１始動入賞）が発生したときに、図２に示す第１始動口スイッチ２２Ａによって遊技球が検出されたことなどにより、第１始動条件が成立する。その後、例えば前回の特図ゲームや大当り遊技状態が終了したことなどにより第１開始条件が成立したことに基づいて、第１特別図柄表示装置４Ａによる第１特図を用いた特図ゲームが開始される。
【００６０】
また、遊技球が普通可変入賞球装置６Ｂに形成された第２始動入賞口（第２始動領域）を進入する始動入賞（第２始動入賞）が発生したときに、図２に示す第２始動口スイッチ２２Ｂによって遊技球が検出されたことなどにより第２始動条件が成立する。その後、例えば前回の特図ゲームや大当り遊技状態が終了したことなどにより第２開始条件が成立したことに基づいて、第２特別図柄表示装置４Ｂによる第２特図を用いた特図ゲームが開始される。ただし、普通可変入賞球装置６Ｂが第２可変状態としての通常開放状態や閉鎖状態であるときには、第２始動入賞口を遊技球が進入困難または進入不可能である。
【００６１】
通過ゲート４１を通過した遊技球が図２に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後（可変表示の開始後）、所定時間が経過すると、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００６２】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果（特図表示結果）を予め定められた特定表示結果としての「大当り」にするか否かが、その可変表示結果を導出表示する以前に決定（事前決定）される。そして、可変表示結果の決定に基づく所定割合で、変動パターンの決定などが行われ、可変表示結果や変動パターンを指定する演出制御コマンドが、図２に示す主基板１１の遊技制御用マイクロコンピュータ１００から演出制御基板１２に向けて伝送される。
【００６３】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の表示領域に配置された「左」、「中」、「右」の飾り図柄表示エリア５Ｌ、５Ｃ、５Ｒでは、特別図柄とは異なる飾り図柄（演出図柄）の可変表示が行われる。第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄が導出表示される。
【００６４】
特別図柄の可変表示結果として予め定められた大当り図柄が導出表示されたときには、可変表示結果（特図表示結果）が「大当り」（特定表示結果）となり、遊技者にとって有利な特定遊技状態としての大当り遊技状態に制御される。すなわち、大当り遊技状態に制御されるか否かは、可変表示結果が「大当り」となるか否かに対応しており、その可変表示結果を導出表示する以前に決定（事前決定）される。特別図柄の可変表示結果として、大当り図柄が導出表示されず、ハズレ図柄が導出表示されたときには、可変表示結果（特図表示結果）が「ハズレ」となる。
【００６５】
一例として、「１」、「３」、「５」、「７」の数字を示す特別図柄を大当り図柄とし、「−」の記号を示す特別図柄をハズレ図柄とする。なお、第１特別図柄表示装置４Ａによる特図ゲームにおける大当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄やハズレ図柄となるようにしてもよい。
【００６６】
大当り遊技状態では、大入賞口が開放状態となって特別可変入賞球装置７が遊技者にとって有利な第１状態となる。そして、所定期間（例えば２９秒間）あるいは所定個数（例えば９個）の遊技球が大入賞口に進入して入賞球が発生するまでの期間にて、大入賞口を継続して開放状態とするラウンド遊技（単に「ラウンド」ともいう）が実行される。こうしたラウンド遊技の実行期間以外の期間では、大入賞口が閉鎖状態（又は一部開放状態）となり、入賞球が発生不可能（又は発生困難）となる。大入賞口に遊技球が進入したときには、カウントスイッチ２３により入賞球が検出され、その検出ごとに所定個数（例えば１４個）の遊技球が賞球として払い出される。大当り遊技状態におけるラウンド遊技は、所定の上限回数（例えば「２」、「７」又は「１５」、後述の大当り種別によって決まる。）に達するまで繰返し実行される。
【００６７】
特図表示結果が「大当り」となる場合には、大当り種別が「２Ｒ非確変（時短１００回）」、「７Ｒ確変」、「２Ｒ非確変（時短３０回）」、「１５Ｒ確変」のいずれかとなる場合が含まれている。例えば、特別図柄の可変表示結果として、「１」の数字を示す大当り図柄が導出表示されたときには大当り種別が「２Ｒ非確変（時短１００回）」となり、「３」の数字を示す大当り図柄が導出表示されたときには大当り種別が「７Ｒ確変」となり、「５」の数字を示す大当り図柄が導出表示されたときには大当り種別が「２Ｒ非確変（時短３０回）」となり、「７」の数字を示す大当り図柄が導出表示されたときには大当り種別が「１５Ｒ確変」となる。
【００６８】
大当り種別が「２Ｒ非確変（時短３０回）」又は「２Ｒ非確変（時短３０回）」である場合の大当り遊技状態を「２Ｒ大当り遊技状態」といい、「７Ｒ確変」である場合の大当り遊技状態を「７Ｒ大当り遊技状態」といい、「１５Ｒ確変」である場合の大当り遊技状態を「１５Ｒ大当り遊技状態」という。
【００６９】
２Ｒ大当り遊技状態では、大当り遊技状態におけるラウンド遊技として、特別可変入賞球装置７を遊技者にとって有利な第１状態（大入賞口を開放状態）とする上限時間が比較的に短い時間（例えば０．５秒など）となる短期開放ラウンドが２回（２Ｒ（ラウンド））を上限回数として実行される。
【００７０】
７Ｒ大当り遊技状態では、大当り遊技状態におけるラウンド遊技として、特別可変入賞球装置７を遊技者にとって有利な第１状態（大入賞口を開放状態）とする上限時間が比較的に長い時間（例えば２９秒など）となる通常開放ラウンドが７回（７Ｒ（ラウンド））を上限回数として繰り返し実行される。これに対して、１５Ｒ大当り遊技状態では、通常開放ラウンドが１５回（１５Ｒ（ラウンド））を上限回数として繰り返し実行される。このように、１５Ｒ大当り遊技状態は、７Ｒ大当り遊技状態と比較して、通常開放ラウンドの上限回数が多く、賞球として払い出される遊技球の個数が多くなる可能性が高いため、７Ｒ大当り遊技状態よりも遊技者に付与される価値が高い大当り遊技状態といえる。
【００７１】
２Ｒ大当り遊技状態が終了した後には、平均的な可変表示時間が通常状態（低確低ベース状態）よりも短くなる時短状態（低確高ベース状態）に制御される。時短状態は、所定回数（例えば、３０回や１００回）の可変表示が実行されたことと、次回の大当り遊技状態が開始されたことのうち、いずれか一方の時短終了条件が先に成立するまで、継続するように制御される。この実施の形態において、大当り種別が「２Ｒ非確変（時短１００回）」である場合には、２Ｒ大当り遊技状態の終了後、１００回の可変表示が実行されたことと、次回の大当り遊技状態が開始されたことのうち、いずれか一方の時短終了条件が先に成立するまで、継続して時短状態に制御される。これに対して、大当り種別が「２Ｒ非確変（時短３０回）」である場合には、２Ｒ大当り遊技状態の終了後、３０回の可変表示が実行されたことと、次回の大当り遊技状態が開始されたことのうち、いずれか一方の時短終了条件が先に成立するまで、継続して時短状態に制御される。このように、大当り種別が「２Ｒ非確変（時短１００回）」である場合には、大当り種別が「２Ｒ非確変（時短３０回）」である場合よりも、２Ｒ大当り遊技状態の終了後に、時短状態に制御される可変表示の実行回数（時短回数）が多い。このため、大当り種別が「２Ｒ非確変（時短１００回）」である場合の２Ｒ大当り遊技状態は、大当り種別が「２Ｒ非確変（時短３０回）」である場合の２Ｒ大当り遊技状態よりも遊技者に付与される価値が高い大当り遊技状態といえる。
【００７２】
時短状態では、通常状態よりも第２始動入賞口を遊技球が進入しやすい有利変化態様で、普通可変入賞球装置６Ｂを第１可変状態（開放状態または拡大開放状態）と第２可変状態（閉鎖状態または通常開放状態）とに変化させる。例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御（「高ベース制御」ともいう）と称される。こうした時短状態に制御されることにより、次に可変表示結果が「大当り」となるまでの所要時間が短縮され、通常状態よりも遊技者にとって有利な特別遊技状態となる。
【００７３】
７Ｒ大当り遊技状態又は１５Ｒ大当り遊技状態が終了した後には、所定の確変制御条件が成立したことに基づいて、平均的な可変表示時間が通常状態よりも短くなる時短制御と共に、可変表示結果が「大当り」となる確率（大当り確率）が通常状態（低確低ベース状態）よりも高くなる確変状態（高確高ベース状態）に制御される。確変状態は、次回の大当り遊技状態が開始されることといった、所定の確変終了条件が成立するまで、継続するように制御される。また、７Ｒ大当り遊技状態又は１５Ｒ大当り遊技状態が終了した後には、高確低ベース状態に制御されるとしても良い。
【００７４】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示態様が所定のリーチ態様となることがある。
【００７５】
ここで、リーチ態様とは、画像表示装置５の表示領域にて停止表示された飾り図柄が大当り組合せの一部を構成しているときに未だ停止表示されていない飾り図柄（「リーチ変動図柄」ともいう）については変動が継続している表示態様、あるいは、全部または一部の飾り図柄が大当り組合せの全部または一部を構成しながら同期して変動している表示態様のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示態様、あるいは、「左」、「中」、「右」の飾り図柄表示エリア５Ｌ、５Ｃ、５Ｒにおける全部または一部で飾り図柄が大当り組合せの全部または一部を構成しながら同期して変動している表示態様である。
【００７６】
リーチ態様となったこと（以下では、「リーチが成立した」、「リーチ成立」などということがある。）に対応して、飾り図柄の変動速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ態様となる以前とは異なる演出動作が実行される場合がある。このような、飾り図柄の変動速度の低下、キャラクタ画像の表示や背景画像の表示態様の変化、動画像の再生表示、飾り図柄の変動態様の変化といった演出動作を、リーチ演出表示（あるいは単にリーチ演出）という。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ態様となる以前の動作態様とは異なる動作態様とすることが、含まれていてもよい。
【００７７】
リーチ演出における演出動作としては、互いに動作態様（演出態様）が異なる複数種類の演出パターン（「リーチパターン」ともいう）が、予め用意されていればよい。そして、それぞれのリーチ演出における演出態様に応じて、「大当り」となる可能性（「期待度」あるいは「大当り期待度」ともいう）が異なる。すなわち、複数種類のリーチ演出のいずれが実行されるかに応じて、可変表示結果が「大当り」となる可能性を異ならせることができる。
【００７８】
この実施の形態では、一例として、リーチ演出として、ノーマルリーチ演出と、スーパーリーチ演出（特定演出）とが予め設定されている（図１２参照）。スーパーリーチ演出（特定演出）では、図２５〜図２８の（Ｆ）に示すように、「当り」又は「超当り」と「ハズレ」とからなるルーレットが表示され、「当り」又は「超当り」と「ハズレ」との何れかに矢が刺さる演出表示が実行される。特図表示結果が「大当り」で大当り種別が「２Ｒ非確変（時短１００回）」又は「７Ｒ確変」である場合には、「当り」と「ハズレ」とからなるノーマルルーレットを表示する第１特定演出が実行され、大当り種別が「２Ｒ非確変（時短１００回）」であれば、ノーマルルーレットの「ハズレ」の領域に矢が刺さる演出表示が行われ、「７Ｒ確変」であれば、ノーマルルーレットの「当り」の領域に矢が刺さる演出表示が行われる。これに対して、特図表示結果が「大当り」で大当り種別が「２Ｒ非確変（時短３０回）」又は「１５Ｒ確変」である場合には、「超当り」と「ハズレ」とからなるスーパールーレットを表示する第２特定演出が実行され、大当り種別が「２Ｒ非確変（時短３０回）」であれば、スーパールーレットの「ハズレ」の領域に矢が刺さる演出表示が行われ、「１５Ｒ確変」であれば、スーパールーレットの「超当り」の領域に矢が刺さる演出表示が行われる。
【００７９】
なお、図１２に記載された変動パターン以外にも、ノーマルリーチ演出（大当り）が実行される変動パターンや、他のスーパーリーチ演出が実行される変動パターンが設定されていても良い。この場合、ノーマルリーチ演出が実行された場合は、ノーマルリーチ演出が実行されない場合よりも、飾り図柄の可変表示結果が「大当り」となる可能性（大当り期待度）が高くなればよい。また、スーパーリーチのリーチ演出が実行された場合には、ノーマルリーチ演出が実行された場合に比べて、飾り図柄の可変表示結果が「大当り」となる可能性（大当り期待度）が高くなればよい。大当り期待度は、例えば、（大当り時にその演出が実行される確率）×（大当りになる確率）／｛（大当り時にその演出が実行される確率）×（大当りになる確率）＋（大当り時以外にその演出が実行される確率）×（大当りにならない確率）｝によって算出される（大当り期待度が「１」になる場合には、可変表示結果は必ず「大当り」になる。以下、大当り期待度について同じ。）。
【００８０】
また、飾り図柄の可変表示中には、リーチ演出とは異なり、例えば所定の演出画像を表示することや、メッセージとなる画像表示や音声出力、ランプ点灯などのように、飾り図柄の可変表示動作とは異なる演出動作により、大当り遊技状態の終了後に確変状態に制御される可能性が高いことを示唆する予告演出が特定演出の前に実行されることがある。予告演出では、例えば、所定のキャラクタが画像表示装置５の表示領域を横切る演出表示が行われる。この実施の形態において、予告演出には、大当り遊技状態の終了後に確変状態に制御される可能性が高いことを示唆する普通予告演出の他に、普通予告演出とは異なるキャラクタを表示することにより、大当り遊技状態の終了後に確変状態に制御されることを遊技者に確定的に報知する特定予告演出が含まれている。
【００８１】
特図表示結果が「ハズレ」となる場合には、飾り図柄の可変表示態様がリーチ態様とならずに、所定の非リーチ組合せを構成する飾り図柄が停止表示されることにより、非特定表示結果となる確定飾り図柄が導出表示されることがある。また、特図表示結果が「ハズレ」となる場合には、飾り図柄の可変表示態様がリーチ態様となってノーマルリーチ演出が実行された後に、所定のリーチ組合せ（「リーチハズレ組合せ」ともいう）を構成する飾り図柄が停止表示されることにより、非特定表示結果となる確定飾り図柄が導出表示されることもある。例えば画像表示装置５における「左」、「中」、「右」の飾り図柄表示エリア５Ｌ、５Ｃ、５Ｒにて可変表示される図柄番号が「１」〜「９」の飾り図柄のいずれか１つが、「左」、「右」の飾り図柄表示エリア５Ｌ、５Ｒに、それ以外の飾り図柄が「中」の飾り図柄表示エリア５Ｃに、それぞれ所定の有効ライン上に停止表示されればよい。
【００８２】
特図ゲームにおける特別図柄の可変表示結果である特図表示結果が「大当り」で、大当り種別が「２Ｒ非確変（時短１００回）」又は「２Ｒ非確変（時短３０回）」となるときには、飾り図柄の可変表示態様がリーチ態様となってスーパーリーチ演出（特定演出）が実行された後に、所定のリーチ組合せ（「リーチハズレ組合せ」ともいう）を構成する飾り図柄が停止表示されることにより、非特定表示結果となる確定飾り図柄が導出表示される。
【００８３】
これに対して、大当り種別が「７Ｒ確変」又は「１５Ｒ確変」となるときには、画像表示装置５の表示領域において、予め定められた大当り組合せ（特定表示結果）となる確定飾り図柄が導出表示される。具体的に、特図表示結果が「大当り」となるときには、「左」、「中」、「右」の飾り図柄表示エリア５Ｌ、５Ｃ、５Ｒにおける所定の有効ライン上に同一の飾り図柄が揃って停止表示されることにより、大当り組合せとなる確定飾り図柄が導出表示されればよい。例えば画像表示装置５における「左」、「中」、「右」の飾り図柄表示エリア５Ｌ、５Ｃ、５Ｒにて可変表示される図柄番号が「１」〜「９」の飾り図柄のうちのいずれか１つが、「左」、「中」、「右」の飾り図柄表示エリア５Ｌ、５Ｃ、５Ｒにて所定の有効ライン上に揃って停止表示されるものであり、大当り組合せとなる確定飾り図柄の一類型であればよい。
【００８４】
また、この実施の形態では、始動条件は成立したが開始条件が成立していない可変表示について、始動条件の成立時に、この可変表示（所謂ターゲット）の表示結果（特図表示結果）が「大当り」になるか否かと、「大当り」になる場合の大当り種別と、を判定する、所謂「先読み」が行われる。そして、先読みの結果に基づいて、この先読み対象の可変表示（ターゲット）の表示結果の導出後に、２Ｒ大当り遊技状態に制御されるか、７Ｒ大当り遊技状態又は１５Ｒ大当り遊技状態に制御されるか、を予告する先読み演出を、先読みの判定結果に基づいて実行されるようになっている。
【００８５】
この実施の形態では、先読み演出は、始動入賞記憶表示エリア５Ｈにおける保留表示の表示態様を変更することによって行われる。この実施の形態は、先読み演出として、２Ｒ大当り遊技状態に制御される可能性を予告する不利先読み演出と、７Ｒ大当り遊技状態又は１５Ｒ大当り遊技状態に制御される可能性を予告する有利先読み演出と、が用意されている。不利先読み演出は、先読み対象の可変表示に対応する保留表示図柄（丸印の画像）を、「不利」を示す数字、記号又は文字画像（例えば、丸印の中に「×」、「危険」又は「不利」を含む画像）に変更する演出であり、有利先読み演出は、先読み対象の可変表示に対応する保留表示図柄（丸印の画像）を、「有利」を表す記号又は文字画像（例えば、丸印の中に「○」、「熱」又は「有利」を含む画像）に変更する演出である。
【００８６】
次に、本実施の形態におけるパチンコ遊技機１の主要な動作（作用）を説明する。
【００８７】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【００８８】
このような遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。遊技制御用タイマ割込処理には、例えばスイッチ処理やメイン側エラー処理、情報出力処理、遊技用乱数更新処理、特別図柄プロセス処理、普通図柄プロセス処理、コマンド制御処理といった、パチンコ遊技機１における遊技の進行などを制御するための処理が含まれている。
【００８９】
スイッチ処理は、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する処理である。メイン側エラー処理は、パチンコ遊技機１の異常診断を行い、その診断結果に応じて必要ならば警告を発生可能とする処理である。情報出力処理は、例えばパチンコ遊技機１の外部に設置されたホール管理用コンピュータに供給される大当り情報、始動情報、確率変動情報などのデータを出力する処理である。
【００９０】
遊技用乱数更新処理は、主基板１１の側で用いられる複数種類の遊技用乱数のうち、少なくとも一部をソフトウェアにより更新するための処理である。一例として、主基板１１の側で用いられる遊技用乱数には、特図表示結果決定用の乱数値ＭＲ１と、変動パターン決定用の乱数値ＭＲ２とが含まれていればよい。特図表示結果決定用の乱数値ＭＲ１は、特図ゲームにおける特別図柄などの可変表示結果を「大当り」として大当り遊技状態に制御するか否かの決定に用いられる乱数値である。なお、乱数値ＭＲ１は、大当り種別の決定にも用いられ、大当り種別決定用の乱数値でもある。なお、特図表示結果決定用の乱数値と、大当り種別決定用の乱数値とを異なるものとしてもよい。変動パターン決定用の乱数値ＭＲ２は、特別図柄や飾り図柄の可変表示における変動パターンを、予め用意された複数パターンのいずれかに決定するために用いられる乱数値である。
【００９１】
遊技制御用タイマ割込処理に含まれる特別図柄プロセス処理では、ＲＡＭ１０２に設けられた特図プロセスフラグの値をパチンコ遊技機１における遊技の進行状況に応じて更新し、特別図柄表示装置４における表示動作の制御や、特別可変入賞球装置７における大入賞口の開閉動作設定などを、所定の手順で行うために、各種の処理が選択されて実行される。普通図柄プロセス処理は、普通図柄表示器２０や普図保留表示器２５Ｃにおける表示動作（例えばセグメントＬＥＤの点灯、消灯など）を制御して、普通図柄の可変表示や普通可変入賞球装置６Ｂにおける可動翼片の傾動動作設定、普図保留記憶数の表示などを可能にする処理である。
【００９２】
コマンド制御処理は、主基板１１から演出制御基板１２などのサブ側の制御基板に対して制御コマンド（特に、下記で送信設定される各種の制御コマンド）を伝送させる処理である。一例として、コマンド制御処理では、ＲＡＭ１０２に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【００９３】
図３は、特別図柄プロセス処理の一例を示すフローチャートである。この特別図柄プロセス処理において、ＣＰＵ１０３は、まず、始動入賞判定処理を実行する（ステップＳ１０１）。図４は、始動入賞判定処理として、図３のステップＳ１０１にて実行される処理の一例を示すフローチャートである。
【００９４】
図４に示す始動入賞判定処理において、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（ステップＳ２０１）。このとき、第１始動口スイッチ２２Ａがオンであれば（ステップＳ２０１；Ｙｅｓ）、第１特図を用いた特図ゲームの保留記憶数である第１特図保留記憶数が、所定の上限値（例えば上限記憶数としての「４」）となっているか否かを判定する（ステップＳ２０２）。ＣＰＵ１０３は、例えばＲＡＭ１０２の所定領域（例えば、遊技制御カウンタ設定部）に設けられた、第１特図保留記憶数をカウントする第１保留記憶数カウンタの格納値（初期値は「０」である。）である第１保留記憶数カウント値を読み取ることにより、第１特図保留記憶数を特定できればよい。
【００９５】
ステップＳ２０２にて第１特図保留記憶数が上限値ではないときには（ステップＳ２０２；Ｎｏ）、例えばＲＡＭ１０２の所定領域（遊技制御バッファ設定部）に設けられた始動口バッファの格納値を、「１」に設定する（ステップＳ２０３）。始動口バッファの格納値は、「１」が第１始動口を表し、「２」が第２始動口を表す。
【００９６】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図を用いた特図ゲームの保留記憶数である第２特図保留記憶数が、所定の上限値（例えば上限記憶数としての「４」）となっているか否かを判定する（ステップＳ２０５）。ＣＰＵ１０３は、例えばＲＡＭ１０２の所定領域（例えば、遊技制御カウンタ設定部）に設けられた、第２特図保留記憶数をカウントする第２保留記憶数カウンタの格納値（初期値は「０」である。）である第２保留記憶数カウント値を読み取ることにより、第２特図保留記憶数を特定できればよい。
【００９７】
ステップＳ２０５にて第２特図保留記憶数が上限値ではないときには（ステップＳ２０５；Ｎｏ）、例えばＲＡＭ１０２の所定領域（遊技制御バッファ設定部）に設けられた始動口バッファの格納値を、「２」に設定する（ステップＳ２０６）。
【００９８】
第２始動口スイッチ２２Ｂがオンでなかったり（ステップＳ２０４；Ｎｏ）、第２特図保留記憶数が上限値ではあったり（ステップＳ２０５；Ｙｅｓ）した場合には、始動入賞判定処理を終了する。
【００９９】
ステップＳ２０３、Ｓ２０６の処理のいずれかを実行した後には、始動口バッファの格納値である始動口バッファ値に応じた特図保留記憶数を１つ加算するように更新する（ステップＳ２０７）。例えば、始動口バッファ値が「１」であるときには第１保留記憶数カウント値を１つ加算する一方で、始動口バッファ値が「２」であるときには第２保留記憶数カウント値を１つ加算する。ＣＰＵ１０３は、第１保留記憶数カウント値を１つ加算した場合には、第１保留表示器２５Ａを制御して、１つ加算された第１特図保留記憶数を特定可能な表示を第１保留表示器２５Ａに行わせる（例えば、ＬＥＤの点灯個数を１つ増やす）。ＣＰＵ１０３は、第２保留記憶数カウント値を１つ加算した場合には、第２保留表示器２５Ｂを制御して、１つ加算された第２特図保留記憶数を特定可能な表示を第２保留表示器２５Ｂに行わせる（例えば、ＬＥＤの点灯個数を１つ増やす）。
【０１００】
こうして、第１保留記憶数カウント値は、第１始動入賞口を遊技球が進入して第１特図を用いた特図ゲームに対応した第１始動条件が成立したときに、１つ増加するように更新される。また、第２保留記憶数カウント値は、第２始動入賞口を遊技球が進入して第２特図を用いた特図ゲームに対応した第２始動条件が成立したときに、１つ増加するように更新される。このときには、合計保留記憶数も１つ加算するように更新する（ステップＳ２０８）。例えば、ＲＡＭ１０２の所定領域（例えば、遊技制御カウンタ設定部）に設けられた、合計保留記憶数をカウントする合計保留記憶数カウンタの格納値である合計保留記憶数カウント値を、１つ加算するように更新すればよい。
【０１０１】
ステップＳ２０８の処理を実行した後に、ＣＰＵ１０３は、乱数回路１０４などによって更新されている数値データのうちから、特図表示結果決定用の乱数値ＭＲ１、大当り種別決定用の乱数値ＭＲ２、変動パターン決定用の乱数値ＭＲ３それぞれを示す各数値データ（図５参照）を、抽出する（ステップＳ２０９）。こうして抽出した各乱数値を示す数値データは、始動口バッファ値に応じた特図保留記憶部（例えば、ＲＡＭ１０２の所定領域に設けられる。）における空きエントリの先頭に、保留データとしてセットされることで記憶される（ステップＳ２１０）。例えば、始動口バッファ値が「１」であるときには、ＲＡＭ１０２の所定領域に設けられた第１特図保留記憶部に乱数値ＭＲ１〜ＭＲ３を示す数値データがセットされる一方、始動口バッファ値が「２」であるときには、ＲＡＭ１０２の所定領域に設けられた第２特図保留記憶部に乱数値ＭＲ１〜ＭＲ３を示す数値データがセットされる。
【０１０２】
図６に第１特図保留記憶部と第２特図保留記憶部とに記憶された乱数値ＭＲ１〜ＭＲ３の一例を示す。図６の第１特図保留記憶部では、乱数値ＭＲ１〜ＭＲ３が、保留記憶３つ分記憶されている。保留番号は、記憶された順番を示す。保留番号１のエントリに記憶された乱数値ＭＲ１（「２０９８０」）、ＭＲ２（「３９」）、ＭＲ３（「２４０」）、が、図３の第１特図保留記憶部において最も古く記憶されたものである。図３の第２特図保留記憶部では、乱数値ＭＲ１〜ＭＲ３が、保留記憶２つ分記憶されている。保留番号は、記憶された順番を示す。保留番号１のエントリに記憶された乱数値ＭＲ１（「１５１」）、ＭＲ２（「９９」）、ＭＲ３（「６１」）が、図３の第２特図保留記憶部において最も古く記憶されたものである。
【０１０３】
乱数値ＭＲ１は、特別図柄や飾り図柄の可変表示結果を「大当り」とするか否かを決定するために用いられる乱数値である。乱数値ＭＲ１は、「１」〜「６５５３５」の範囲にある値を取り得る。乱数値ＭＲ２は、可変表示結果を「大当り」とする場合の大当り種別を決定するために用いられる乱数値である。乱数値ＭＲ２は、「１」〜「１００」の範囲にある値を取り得る。乱数値ＭＲ３は、特別図柄や飾り図柄の可変表示時間を含む変動パターンが属する変動パターンを決定するために用いられる。乱数値ＭＲ３は、乱数値ＭＲ３は、「１」〜「２５１」の範囲にある値を取り得る。ＣＰＵ１０３は、ステップＳ２０９の処理を実行することにより、特別図柄や飾り図柄の可変表示結果や可変表示時間を含む可変表示態様の決定に用いられる乱数値のうち、一部または全部を示す数値データを抽出する。
【０１０４】
ステップＳ２１０の処理に続いて、始動口バッファ値に応じた始動口入賞指定コマンドの送信設定が行われる（ステップＳ２１１）。例えば、始動口バッファ値が「１」であるときにはＲＯＭ１０１における第１始動口入賞指定コマンドテーブルの記憶アドレスを送信コマンドバッファにおいて送信コマンドポインタにより指定されたバッファ領域に格納することなどにより、演出制御基板１２に対して第１始動口入賞指定コマンド（第１始動口に始動入賞があったことを指定するコマンド）を送信するための設定を行う。これに対して、始動口バッファ値が「２」であるときにはＲＯＭ１０１における第２始動口入賞指定コマンドテーブルの記憶アドレスを送信コマンドバッファのバッファ領域に格納することなどにより、演出制御基板１２に対して第２始動口入賞指定コマンドを送信するための設定を行う。こうして設定された始動口入賞指定コマンドは、例えば特別図柄プロセス処理が終了した後、上述のコマンド制御処理が実行されることなどにより、主基板１１から演出制御基板１２に対して伝送される。
【０１０５】
ステップＳ２１１の処理に続いて、入賞時乱数値判定処理（詳しくは後述）を実行する（ステップＳ２１２）。その後、例えばＲＯＭ１０１における保留記憶数通知コマンドテーブルの記憶アドレスを送信コマンドバッファにおいて送信コマンドポインタによって指定されたバッファ領域に格納することなどにより、演出制御基板１２に対して保留記憶数通知コマンドを送信するための設定を行う（ステップＳ２１３）。こうして設定された保留記憶数通知コマンドは、例えば特別図柄プロセス処理が終了した後、上述のコマンド制御処理が実行されることなどにより、主基板１１から演出制御基板１２に対して伝送される。保留記憶数通知コマンドは、第１保留記憶数通知コマンド及び第２保留記憶数通知コマンドを含み、各コマンドは、第１特図保留記憶数や第２特図保留記憶数を通知する演出制御コマンドである。なお、演出制御基板１２に対して送信する保留記憶数通知コマンドは、第１保留記憶数通知コマンド及び第２保留記憶数通知コマンドのうち、始動入賞があった方のコマンドのみを含むものであってもよい。例えば、保留記憶数通知コマンドは、始動口バッファ値が「１」であれば、第１保留記憶数通知コマンドのみを含み、始動口バッファ値が「２」であれば、第２保留記憶数通知コマンドのみを含むようにしてもよい。
【０１０６】
ステップＳ２１３の処理を実行した後には、始動口バッファ値が「１」であるか「２」であるかを判定する（ステップＳ２１４）。このとき、始動口バッファ値が「１」であれば（ステップＳ２１４；「１」）、始動口バッファをクリアして、その格納値を「０」に初期化してから（ステップＳ２１５）、ステップＳ２０４の処理に進む。これに対して、始動口バッファ値が「２」であるときには（ステップＳ２１４；「２」）、始動口バッファをクリアして、その格納値を「０」に初期化してから（ステップＳ２１６）、始動入賞判定処理を終了する。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０１０７】
図７は、入賞時乱数値判定処理として、図４のステップＳ２１２にて実行される処理の一例を示すフローチャートである。この実施の形態において、特別図柄や飾り図柄の可変表示が開始されるときには、後述する特別図柄通常処理により、特図表示結果（特別図柄の可変表示結果）を「大当り」として大当り遊技状態に制御するか否かの決定及び大当り種別の決定が行われる。また、後述する変動パターン設定処理において、飾り図柄の可変表示態様を規定する変動パターンの決定などが行われる。他方、これらの決定とは別に、遊技球が始動入賞口（第１始動入賞口または第２始動入賞口）にて検出されたタイミングで、ＣＰＵ１０３がステップＳ２１２の入賞時乱数値判定処理を実行することにより、ステップＳ２０９で抽出された各乱数値が、特図表示結果を「大当り」と決定する乱数値ＭＲ１であるか否かの判定や、大当り種別がどれになるかの判定などを行う（所謂「先読み」）。これにより、始動入賞口に進入した遊技球の検出に基づく特別図柄や飾り図柄の可変表示が開始されるより前に、特図表示結果が「大当り」となることや、大当り種別を予測し、この予測結果に基づいて、演出制御基板１２の側で先読み演出を実行するか否かなどを、決定することができる。なお、この先読み対象の保留データ及び可変表示を適宜先読みターゲットの保留データ、ターゲットの可変表示などと呼ぶことがある。また、入賞時乱数値判定処理は、乱数値ＭＲ１〜ＭＲ３を第１又は第２特図保留記憶部に記憶する前にステップＳ２１２の処理（先読み）を行い、その後に乱数値ＭＲ１〜ＭＲ３を第１又は第２特図保留記憶部に記憶するようにしてもよい。
【０１０８】
図７の入賞時乱数値判定処理において、ＣＰＵ１０３は、まず、例えばＲＡＭ１０２の所定領域（遊技制御フラグ設定部など）に設けられた時短フラグ（時短状態のときにオン状態になるフラグ）や確変フラグ（確変状態のときにオン状態になるフラグ）の状態を確認することなどにより、パチンコ遊技機１における現在の遊技状態を特定する（ステップＳ４０１）。より具体的には、確変フラグがオン状態であるときには遊技状態が確変状態であること、時短フラグがオン状態であるときには遊技状態が時短状態であること、確変フラグと時短フラグがともにオフ状態であるときには通常状態であることを、それぞれ特定すればよい。
【０１０９】
ステップＳ４０１の処理に続いて、大当り判定範囲を設定する（ステップＳ４０２）。例えば、大当り判定範囲としては、確変状態用（確変用）の大当り判定範囲と、確変状態以外の遊技状態用（非確変用）の大当り判定範囲と、が用意され、現在の遊技状態が確変状態であれば、確変用の大当り判定範囲を設定し、現在の遊技状態が確変状態でなければ（非確変状態であれば）、非確変用の大当り判定範囲を設定する。
【０１１０】
確変用の大当り判定範囲は、後述のステップＳ２３９で確変状態のときに、可変表示結果を「大当り」にすると決定することができる乱数値ＭＲ１の範囲として、予め定められていればよい。確変用の大当り判定範囲は、ここでは、ステップＳ２３９で参照される特図表示結果の決定テーブルにおいて確変状態（確変制御有り）に応じて「大当り」に割り当てられた決定値の範囲（「８０００」〜「９８９９」）と同じである。つまり、乱数値ＭＲ１が確変用の大当り判定範囲内の値である場合には、その後、この乱数値ＭＲ１に基づいてステップＳ２３９で決定される特図表示結果は、確変状態が終了しない限り、「大当り」になる。
【０１１１】
例えば、非確変用の大当り判定範囲は、後述のステップＳ２３９で確変状態以外の遊技状態のときに、可変表示結果を「大当り」にすると決定することができる乱数値ＭＲ２の範囲として、予め定められていればよい。非確変用の大当り判定範囲は、ここでは、ステップＳ２３９で参照される特図表示結果の決定テーブルにおいて非確変状態（確変制御無し）に応じて「大当り」に割り当てられた決定値の範囲（「８０００」〜「８１８９」）と同じである。つまり、乱数値ＭＲ１が非確変用の大当り判定範囲内の値である場合には、その後、この乱数値ＭＲ１に基づいてステップＳ２３９で決定される特図表示結果は「大当り」になる。
【０１１２】
その後、特図表示結果決定用の乱数値ＭＲ１を示す数値データと、ステップＳ４０２の処理により設定された大当り判定範囲とを比較する（ステップＳ４０３）。そして、乱数値ＭＲ１が大当り判定範囲内であるか否かを判定する（ステップＳ４０４）。大当り判定範囲内であると判定された場合（つまり、特図表示結果が「大当り」と判定された場合）には（ステップＳ４０４；Ｙｅｓ）、始動口バッファ値が「１」であるか「２」であるかを判定する（ステップＳ４０５）。このとき、始動口バッファ値が「１」であれば（ステップＳ４０５；「１」）、第１特図用の大当り種別判定範囲を設定し（ステップＳ４０６）、始動口バッファ値が「２」であるときには（ステップＳ４０５；「２」）、第２特図用の大当り種別判定範囲を設定する（ステップＳ４０７）。大当り判定範囲内でないと判定された場合（つまり、特図表示結果が「ハズレ」と判定された場合）には（ステップＳ４０４；Ｎｏ）、ステップＳ４０９の処理が行われる。
【０１１３】
第１特図用の大当り種別判定範囲としては、第１特図用の２Ｒ非確変（時短１００回）判定範囲、７Ｒ確変判定範囲、２Ｒ非確変（時短３０回）判定範囲及び１５Ｒ確変判定範囲が設定される。その他の大当り種別が有る場合にも、それぞれ大当り範囲が設定される。
【０１１４】
第１特図用の２Ｒ非確変（時短１００回）〜１５Ｒ確変判定範囲は、後述のステップＳ２４２で大当り種別として、発生した始動入賞が第１始動入賞である場合（可変表示が第１特図の可変表示であること）に、「２Ｒ非確変（時短１００回）」、「７Ｒ確変」、「２Ｒ確変（時短３０回）」、「１５Ｒ確変」のいずれかを選択することができる乱数値ＭＲ２の範囲として、予め定められていればよい。第１特図用の２Ｒ非確変（時短１００回）判定範囲は、ここでは、ステップＳ２４２で参照される大当り種別の決定テーブルにおいて、始動入賞が第１始動入賞であることに応じて「２Ｒ非確変（時短１００回）」、「７Ｒ確変」、「２Ｒ確変（時短３０回）」、「１５Ｒ確変」に割り当てられた決定値の範囲（「２Ｒ非確変（時短１００回）」について「１」〜「５」、「７Ｒ確変」について「６」〜「５０」、「２Ｒ非確変（時短３０回）」について「５１」〜「７５」、「１５Ｒ確変」について「７６」〜「１００」）と同じである。つまり、乱数値ＭＲ２が第１特図用の２Ｒ非確変（時短１００回）判定範囲内の値である場合には、その後、この乱数値ＭＲ２に基づいてステップＳ２４２で決定される大当り種別は、「２Ｒ非確変（時短１００回）」になる。同様に、乱数値ＭＲ２が第１特図用の７Ｒ確変判定範囲内の値である場合には「７Ｒ確変」が、２Ｒ非確変（時短３０回）判定範囲内の値である場合には「２Ｒ非確変（時短３０回）」が、１５Ｒ確変判定範囲内の値である場合には「１５Ｒ確変」が、それぞれ大当り種別として決定される。
【０１１５】
第２特図用の大当り種別判定範囲として、第２特図用の２Ｒ非確変（時短１００回）判定範囲、７Ｒ確変判定範囲、２Ｒ非確変（時短３０回）判定範囲及び１５Ｒ確変判定範囲が設定される。本実施の形態では、第２特図用の第２特図用の大当り種別判定範囲は、第１特図用の大当り種別判定範囲と同じである。
【０１１６】
その後、変動パターン決定用の乱数値ＭＲ２を示す数値データと、ステップＳ４０６またはステップＳ４０７の処理により設定された各種の大当り種別判定範囲とを比較する（ステップＳ４０８）。これにより、乱数値ＭＲ２がどの大当り種別の判定範囲内であるか否かが判定される。
【０１１７】
ステップＳ４０８の処理に続き、ステップＳ４０４の判定結果やステップＳ４０８の処理による比較結果に応じて、入賞時判定結果指定コマンドを送信するための送信設定を行ってから（ステップＳ４０９）、入賞時乱数値判定処理を終了する。例えば、ＲＯＭ１０１における入賞時判定結果指定コマンドテーブルの記憶アドレスを送信コマンドバッファにおいて送信コマンドポインタにより指定されたバッファ領域に格納することなどにより、演出制御基板１２に対して入賞時判定結果指定コマンドを送信するための設定を行う。入賞時判定結果指定コマンドは、次のコマンド制御処理で演出制御基板１２に対して伝送される。
【０１１８】
入賞時判定結果指定コマンドとして、入賞時判定結果に応じた複数種類の演出制御コマンドが、予め用意されている。例えば、図８に示すように、コマンド１から５が用意されている。ＣＰＵ１０３は、ステップＳ４０４やステップＳ４０８の処理による判定結果や比較結果を入賞時判定結果として指定する下記のコマンドのいずれかをステップＳ４０８で送信設定する。
【０１１９】
コマンド１は、特図表示結果が「ハズレ」になるとの判定結果を通知する演出制御コマンド（入賞時判定結果として「ハズレ」を通知する演出制御コマンド）である。
【０１２０】
コマンド２は、特図表示結果が「大当り」になるとの判定結果と、乱数値ＭＲ２が第１特図用の２Ｒ非確変（時短１００回）判定範囲又は第２特図用の２Ｒ非確変（時短１００回）判定範囲内である（つまり、その乱数値ＭＲ２についてのステップＳ２４２において「２Ｒ非確変（時短１００回）」の大当り種別が選択される）という比較結果と、を通知する演出制御コマンド（入賞時判定結果として「２Ｒ非確変（時短１００回）」を通知する演出制御コマンド）である。
【０１２１】
コマンド３は、特図表示結果が「大当り」になるとの判定結果と、乱数値ＭＲ２が第２特図用の７Ｒ確変判定範囲内である（つまり、その乱数値ＭＲ２についてのステップＳ２４２において「７Ｒ確変」の大当り種別が選択される）という比較結果と、を通知する演出制御コマンド（入賞時判定結果として「７Ｒ確変」を通知する演出制御コマンド）である。
【０１２２】
コマンド４は、特図表示結果が「大当り」になるとの判定結果と、乱数値ＭＲ２が第１特図用の２Ｒ非確変（時短３０回）判定範囲又は第２特図用の２Ｒ非確変（時短３０回）判定範囲内である（つまり、その乱数値ＭＲ２についてのステップＳ２４２において「２Ｒ非確変（時短３０回）」の大当り種別が選択される）という比較結果と、を通知する演出制御コマンド（入賞時判定結果として「２Ｒ非確変（時短３０回）」を通知する演出制御コマンド）である。
【０１２３】
コマンド５は、特図表示結果が「大当り」になるとの判定結果と、乱数値ＭＲ２が第１特図用の１５Ｒ確変判定範囲又は第２特図用の１５Ｒ確変判定範囲内である（つまり、その乱数値ＭＲ２についてのステップＳ２４２において「１５Ｒ確変」の大当り種別が選択される）という比較結果と、を通知する演出制御コマンド（入賞時判定結果として「１５Ｒ確変」を通知する演出制御コマンド）である。
【０１２４】
なお、この実施の形態では、現在の遊技状態に応じた大当り判定範囲内に乱数値ＭＲ１があるか否かを判定するので、乱数値ＭＲ１が大当り判定範囲内にあるからといって、実際の可変表示の表示結果が「大当り」になるとは限らない。ターゲットの可変表示の前に、確変終了条件が成立するなどして、遊技状態が変更される場合があるからである。そこで、ステップＳ４０２において設定する大当り判定範囲を、確変用の大当り判定範囲（「８０００」〜「９８９９」）と、非確変用の大当り判定範囲（「８０００」〜「８１８９」）と、が重複する範囲（「８０００」〜「８１８９」）にしてもよい。これによって、乱数値ＭＲ１がその範囲内にあれば、その乱数値ＭＲ１についてのステップＳ２３９において必ず特図表示結果が「大当り」に決定される。つまり、先読みの精度が向上する。なお、この場合、ステップＳ４０１の処理は省略してもよい。なお、この場合、乱数値ＭＲ１がその範囲内でない場合であっても、そのＭＲ１についてのステップＳ２３９では、可変表示結果が「大当り」に決定される場合もある。
【０１２５】
図４に示す始動入賞判定処理や図７に示す入賞時乱数値判定処理では、第１始動入賞口や第２始動入賞口を遊技球が進入して第１始動条件や第２始動条件が成立したときには、始動口入賞指定コマンド（第１始動口入賞指定コマンドまたは第２始動口入賞指定コマンド）、入賞時判定結果指定コマンド、保留記憶数通知コマンド（第１保留記憶数通知コマンド及び／又は第２保留記憶数通知コマンド）という３つのコマンドが１セットとして、１タイマ割込内に一括して送信される。なお、１タイマ割込内に一括して送信されるものに限定されず、タイマ割込毎に上記コマンド制御処理により１つずつコマンドが順次に所定の順序で送信されてもよい。なお、第１始動条件及び第２始動条件の両者が同時に成立した場合には、前記３つのコマンドの組が分かるように送信する。例えば、第１始動条件の成立及び第２始動条件の成立それぞれについて、３つのコマンドを１セットとして、１タイマ割込内に一括して送信することを２回行う。または、例えば、第１始動条件の成立についての３つのコマンドをタイマ割込毎に上記コマンド制御処理により１つずつ所定の順序で順次送信し、その後に、第２始動条件の成立についての３つのコマンドをタイマ割込毎に上記コマンド制御処理により１つずつ所定の順序で順次送信する。
【０１２６】
図４に示すステップＳ１０１にて始動入賞判定処理を実行した後、ＣＰＵ１０３は、ＲＡＭ１０２の所定領域（例えば遊技制御フラグ設定部）に設けられた特図プロセスフラグの値に応じて、ステップＳ１１０〜Ｓ１２０の処理のいずれかを選択して実行する（図３参照）。
【０１２７】
ステップＳ１１０の特別図柄通常処理は、特図プロセスフラグの値が“０”（最初は“０”である。）のときに実行される。図９は、特別図柄通常処理として、図３のステップＳ１１０にて実行される処理の一例を示すフローチャートである。図９に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。ＣＰＵ１０３は、第２保留記憶数カウント値を読み出し、その読出値が「０」であるか否かを判定すればよい。
【０１２８】
ステップＳ２３１にて第２特図保留記憶数が「０」以外であるときには（ステップＳ２３１；Ｎｏ）、例えば第２特図保留記憶部の先頭領域（例えば保留番号「１」に対応する記憶領域）といった、ＲＡＭ１０２の所定領域に記憶されている保留データ（最も過去に記憶された保留データ）を読み出す（ステップＳ２３２）。これにより、図４に示すステップＳ１０１の始動入賞判定処理で第２始動入賞口における始動入賞（第２始動入賞）の発生に対応して抽出された遊技用乱数が読み出される。このとき読み出された数値データは、例えば変動用乱数バッファ（例えば、ＲＡＭ１０２の所定領域に設けられる。）などに格納されて、一時記憶されればよい。
【０１２９】
ステップＳ２３２の処理に続いて、例えば第２保留記憶数カウント値を１つ減算して更新することなどにより、第２特図保留記憶数を１つ減算させるように更新するとともに、第２特図保留記憶部における記憶内容をシフトさせる（ステップＳ２３３）。例えば、第２特図保留記憶部にて保留番号「１」より下位の記憶領域（保留番号「２」〜「４」に対応する記憶領域）に記憶された保留データを、１エントリずつ上位にシフトする（保留番号「１」〜「３」に対応する記憶領域に移動させる。）。また、ステップＳ２３３の処理では、合計保留記憶数を１つ減算するように更新してもよい。そして、ＲＡＭ１０２の所定領域（例えば遊技制御バッファ設定部）に設けられた変動特図指定バッファの格納値である変動特図指定バッファ値を、「２」に更新する（ステップＳ２３４）。
【０１３０】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。ＣＰＵ１０３は、第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１３１】
なお、第２特図を用いた特図ゲームが第１特図を用いた特図ゲームよりも優先して実行されるものに限定されない。すなわち、第１始動入賞口であるか第２始動入賞口であるかにかかわらず、遊技球が始動入賞口を通過（進入）した順番で、特図ゲームが実行されるようにしてもよい。この場合には、第１始動入賞口と第２始動入賞口のいずれを遊技球が通過（進入）したかを示す始動口データを、保留データとともに、あるいは保留データとは別個に、保留番号と対応付けてＲＡＭ１０２の所定領域に記憶させておき、それぞれの保留データに対応する特図ゲームについて、始動条件が成立した順番を特定可能にすればよい。
【０１３２】
ステップＳ２３５にて第１特図保留記憶数が「０」以外であるときには（ステップＳ２３５；Ｎｏ）、例えば第１特図保留記憶部の先頭領域（例えば保留番号「１」に対応する記憶領域）といった、ＲＡＭ１０２の所定領域に記憶されている保留データ（最も過去に記憶された保留データ）を読み出す（ステップＳ２３６）。これにより、図６に示すステップＳ１０１の始動入賞判定処理で第１始動入賞口における始動入賞（第１始動入賞）の発生に対応して抽出された遊技用乱数が読み出される。このとき読み出された数値データは、例えば変動用乱数バッファなどに格納されて、一時記憶されればよい。
【０１３３】
ステップＳ２３６の処理に続いて、例えば第１保留記憶数カウント値を１つ減算して更新することなどにより、第１特図保留記憶数を１つ減算させるように更新するとともに、第１特図保留記憶部における記憶内容をシフトさせる（ステップＳ２３７）。例えば、第１特図保留記憶部にて保留番号「１」より下位の記憶領域（保留番号「２」〜「４」に対応する記憶領域）に記憶された保留データを、１エントリずつ上位にシフトする（保留番号「１」〜「３」に対応する記憶領域に移動させる。）。また、ステップＳ２３７の処理では、合計保留記憶数を１つ減算するように更新してもよい。そして、変動特図指定バッファ値を「１」に更新する（ステップＳ２３８）。
【０１３４】
ステップＳ２３４、Ｓ２３８の処理のいずれかを実行した後には、特別図柄の可変表示結果である特図表示結果を、「大当り」と「ハズレ」のいずれかに決定する（ステップＳ２３９）。一例として、ステップＳ２３９の処理では、予めＲＯＭ１０１の所定領域に記憶するなどして用意された特図表示結果の決定テーブル（図１０（Ａ）参照）を選択し、特図表示結果を決定するための使用テーブルに設定する。特図表示結果の決定テーブルでは、例えば、図１０に示すように、特図表示結果決定用の乱数値ＭＲ１と比較される数値（決定値）が、特図表示結果を「大当り」と「ハズレ」のいずれとするかの決定結果に、確変状態における確変制御の有無（遊技状態が確変状態であるか否か）に応じて割り当てられていればよい。ＣＰＵ１０３は、ステップＳ２３２又はＳ２３６で変動用乱数バッファに一時格納した遊技用乱数に含まれる特図表示結果決定用の乱数値ＭＲ１を示す数値データを変動用乱数バッファから読み出し、遊技状態が確変状態であるか否かと、乱数値ＭＲ１を示す数値データと、に基づいて、使用テーブルに設定された特図表示結果の決定テーブルを参照することにより、遊技状態が確変状態であるか否かに応じて乱数値ＭＲ１に該当する決定値に割り当てられた「大当り」と「ハズレ」のいずれかの決定結果を特図表示結果として決定すればよい。ＣＰＵ１０３は、ＲＡＭ１０２の所定領域（例えば遊技制御フラグ設定部）に設けられた後述の確変フラグがオン状態である場合に、確変制御が行われていると判定すればよい。例えば、乱数値ＭＲ１が「９０００」であるとき、ＣＰＵ１０３は、確変フラグがオン状態である場合（確変制御有りの場合）には、特図表示結果を「大当り」にすると決定し、確変フラグがオフ状態である場合（確変制御無しの場合）には、特図表示結果を「ハズレ」にすると決定する。
【０１３５】
図１０（Ａ）に示すように、確変状態にて確変制御が行われているときには、通常状態や時短状態にて確変制御が行われていないときよりも高い割合で、特図表示結果が「大当り」に決定される。したがって、例えば図３に示すステップＳ１１７の大当り終了処理により（詳しくは後述する。）、大当り種別が「７Ｒ確変」や「１５Ｒ確変」であった場合に対応して確変フラグがオン状態にセットされたことなどに基づいて、現在、確変制御が行われる確変状態であるときには、通常状態や時短状態にて確変制御が行われていないときよりも、特図表示結果が「大当り」になりやすく、大当り遊技状態になりやすい。
【０１３６】
その後、ＣＰＵ１０３は、ステップＳ２３９の処理により決定された特図表示結果が「大当り」であるか否かを判定する（ステップＳ２４０）。特図表示結果が「大当り」に決定された場合には（ステップＳ２４０；Ｙｅｓ）、ＲＡＭ１０２の所定領域（例えば遊技制御フラグ設定部）に設けられた大当りフラグをオン状態にセットする（ステップＳ２４１）。また、大当り種別を複数種類のいずれかに決定する（ステップＳ２４２）。
【０１３７】
一例として、ステップＳ２４２の処理では、予めＲＯＭ１０１の所定領域に記憶するなどして用意された大当り種別の決定テーブルを選択し、大当り種別を決定するための使用テーブルに設定する。この実施形態では、今回の特図ゲーム（可変表示）が第１特図を用いたものであるか第２特図を用いたものであるかに関わらず、共通の決定テーブルを使用テーブルとして設定する。大当り種別の決定テーブルは、例えば図１０（Ｂ）に示すように、複数の大当り種別（「２Ｒ非確変（時短１００回）」、「７Ｒ確変」、「２Ｒ確変（時短３０回）」、「１５Ｒ確変」）と、その大当り種別に割り当てられた判定範囲を対応付けて記録したテーブルである。図１０（Ｂ）に示す大当り種別の決定テーブルでは、２Ｒ非確変（時短１００回）に対して判定値１〜５が割り当てられており、乱数ＭＲ２が１〜５の５個の何れかである場合（即ち、判定値数５）、大当り種別が「２Ｒ非確変（時短１００回）」に決定される。また、「７Ｒ確変」に対して判定値６〜５０が割り当てられており、乱数ＭＲ２が６〜５０の４５個の何れかである場合（即ち、判定値数４５）、大当り種別が「７Ｒ確変」に決定される。同様に、「２Ｒ非確変（時短３０回）」に対して判定値５１〜７５が割り当てられており、乱数ＭＲ２が５１〜７５の２５個の何れかである場合（即ち、判定値数２５）、大当り種別が「２Ｒ非確変（時短３０回）」に決定される。「１５Ｒ確変」に対しては判定値７６〜１００が割り当てられており、乱数ＭＲ２が７６〜１００の２５個の何れかである場合（即ち、判定値数２５）、大当り種別が「１５Ｒ確変」に決定される。ＣＰＵ１０３は、ステップS２３２又はS２３６で変動用乱数バッファに一時格納した遊技用乱数に含まれる大当り種別決定用の乱数値ＭＲ２を示す数値データを変動用乱数バッファから読み出し、今回の特図ゲームが第１特図を用いたものであるか第２特図を用いたものであるかと、変動用乱数バッファから読み出した大当り種別決定用の乱数値ＭＲ２を示す数値データと、に基づいて、使用テーブルに設定された大当り種別の決定テーブルを参照することにより、今回の特図ゲーム（可変表示）が第１特図を用いたものであるか第２特図を用いたものであるかに応じて乱数値ＭＲ２に該当する決定値に割り当てられた大当り種別のいずれかを選択すればよい。例えば、乱数値ＭＲ２が「５０」である場合、ＣＰＵ１０３は、大当り種別を「７Ｒ確変」と決定する。
【０１３８】
なお第１特図ゲームと第２特図ゲームで異なる大当り種別の決定テーブルを用いるとしても良い。この場合、大当り種別の決定テーブルでは、大当り種別決定用の乱数値ＭＲ２と比較される数値（決定値）が、今回の特図ゲーム（可変表示）が第１特図を用いたものであるか第２特図を用いたものであるかに応じて（例えば、乱数値を第１特図保留記憶部から読み出したか、第２特図保留記憶部から読み出したかに応じて）、大当り種別を複数種類のいずれとするかの決定結果に割り当てられていればよい。そして、今回の特図ゲームが第１特図を用いたものであるか第２特図を用いたものであるかを判定し（例えば、ステップＳ２３２、Ｓ２３６のいずれの処理を行ったかで判定できる。）、今回の特図ゲームが第１特図を用いたものである場合（ステップＳ２３２の処理を行っている場合）には、第１特図ゲーム用の決定テーブルを用いて大当り種別を決定（選択）し、今回の特図ゲームが第２特図を用いたものである場合（ステップＳ２３６の処理を行っている場合）には、第２特図ゲーム用の決定テーブルを用いて大当り種別を決定（選択）する。
【０１３９】
ステップＳ２４２の処理を実行した後には、大当り種別を記憶させる（ステップＳ２４３）。ＣＰＵ１０３は、ＲＡＭ１０２の所定領域（例えば遊技制御バッファ設定部）に設けられた大当り種別バッファに、大当り種別の決定結果を示すデータ（つまり、「２Ｒ非確変（時短１００回）」、「７Ｒ確変」、「２Ｒ確変（時短３０回）」、「１５Ｒ確変」の何れであるかを示すデータ）を格納することにより、大当り種別を記憶させればよい。
【０１４０】
ステップＳ２４０にて特図表示結果が「大当り」ではない場合（ステップＳ２４０；Ｎｏ）、ステップＳ２４３の処理のいずれかを実行した後には、特図ゲームにおける特別図柄の可変表示結果となる確定特別図柄を決定する（ステップＳ２４６）。一例として、ステップＳ２４０にて特図表示結果が「大当り」ではないと判定された場合には、ハズレ図柄として予め定められた特別図柄を確定特別図柄に決定する。一方、ステップＳ２４０にて特図表示結果が「大当り」であると判定された場合には、ステップＳ２４２における大当り種別の決定結果に応じて、複数種類の大当り図柄として予め定められた特別図柄のいずれかを確定特別図柄に決定すればよい。
【０１４１】
ステップＳ２４６の処理を実行した後には、特図プロセスフラグの値を“１”に更新してから（ステップＳ２４７）、特別図柄通常処理を終了する。ステップＳ２４７にて特図プロセスフラグの値が“１”に更新されることにより、次回のタイマ割込みが発生したときには、図３に示すステップＳ１１１の変動パターン設定処理が実行される。
【０１４２】
ステップＳ２３５にて第１特図を用いた特図ゲームの保留記憶数が「０」である場合には（ステップＳ２３５；Ｙｅｓ）、所定のデモ表示設定を行ってから（ステップＳ２４８）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。客待ちデモ指定コマンドは、コマンド制御処理において演出制御基板１２に対して送信される。
【０１４３】
上述の処理では、乱数値ＭＲ１及びＭＲ２に基づいて、可変表示結果を「大当り」とするか否か（大当り遊技状態に制御するか否か）と、大当り種別とが、ステップＳ２３９及びＳ２４２において、可変表示の表示結果の導出表示前に事前決定されていることになる。
【０１４４】
図３のステップＳ１１１の変動パターン設定処理は、特図プロセスフラグの値が“１”のときに実行される。変動パターン設定処理は、この後開始される可変表示の態様を指定する変動パターンを設定する処理であり、これによって、この後開始される飾り図柄の可変表示の内容や、可変表示の期間（特図変動時間）が決定されることになる。
【０１４５】
図１１は、変動パターン設定処理として、図３のステップＳ１１１にて実行される処理の一例を示すフローチャートである。
【０１４６】
図１１の変動パターン設定処理で、選択され設定される変動パターンとしては、例えば、図１２に示す変動パターンがある。
【０１４７】
図１２の変動パターンＰＡ１−１〜ＰＡ１−３、ＰＢ１ー１〜ＰＢ１−２は、特図表示結果が「ハズレ」となる場合に選択されるものであって、飾り図柄の可変表示態様がリーチ態様とならずに、所定の非リーチ組合せを構成する飾り図柄が停止表示（導出）される態様の可変表示を指定するもの（非リーチのハズレ変動パターン）である。変動パターンＰＡ１−１〜ＰＡ１−３、ＰＢ１ー１〜ＰＢ１−２における「短縮」とは、保留記憶数が多い場合に可変表示を効率的に消化するために特図変動時間を短縮することをいう。
【０１４８】
図１２の変動パターンＰＡ２−１は、特図表示結果が「ハズレ」となる場合に選択されるものであって、飾り図柄の可変表示態様がリーチ態様となり、所定のリーチ組合せ（リーチハズレ組合せ）を構成する飾り図柄が停止表示（導出）される態様の可変表示を指定するものである。
【０１４９】
図１２の変動パターンＰＡ３−１〜ＰＡ３−４は、特図表示結果が「大当り」となる場合に選択されるものであって、飾り図柄の可変表示態様がリーチ態様となり、所定の大当り組合せを構成する飾り図柄が停止表示（導出）される態様の可変表示を指定するものである。
【０１５０】
図１１に示す変動パターン設定処理において、ＣＰＵ１０３は、まず、大当りフラグがＯＮであるか否かを判定する（ステップＳ２６１）。大当りフラグがＯＮである場合は、次に大当り種別（大当り種別バッファに格納された大当り種別）の何れであるかにより変動パターンを決定する。即ち、まず大当り種別が「２Ｒ非確変（時短１００回）」であるか判定し（ステップＳ２６２）、「２Ｒ非確変（時短１００回）」であった場合は（ステップＳ２６２；ＹＥＳ）、「２Ｒ非確変（時短１００回）」に対応する変動パターンＰＡ３−１を今回の可変表示の変動パターンとして決定する（ステップＳ２６３）。一方、「２Ｒ非確変（時短１００回）」でない場合は（ステップＳ２６２；ＮＯ）、次に大当り種別が「７Ｒ確変」であるか判定し（ステップＳ２６４）、「７Ｒ確変」であった場合は（ステップＳ２６４；ＹＥＳ）、「２Ｒ非確変（時短１００回）」に対応する変動パターンＰＡ３−２を今回の可変表示の変動パターンとして決定する（ステップＳ２６５）。さらに、「７Ｒ確変」でない場合は（ステップＳ２６６；ＮＯ）、次に大当り種別が「２Ｒ非確変（時短３０回）」であるか判定し（ステップＳ２６６）、「２Ｒ非確変（時短３０回）」であった場合は（ステップＳ２６６；ＹＥＳ）、「２Ｒ非確変（時短３０回）」に対応する変動パターンＰＡ３−３を今回の可変表示の変動パターンとして決定する（ステップＳ２６７）。最後に、大当り種別が「２Ｒ非確変（時短３０回）」でない場合（ステップＳ２６６；ＮＯ）、「１５Ｒ確変」に対応する変動パターンＰＡ３−４を今回の可変表示の変動パターンとして決定する（ステップＳ２６８）。
【０１５１】
このように、大当り種別が「２Ｒ非確変（時短１００回）」である場合には、第１特定演出を実行する変動パターンＰＡ３−１が決定される。「７Ｒ確変」である場合には、第１特定演出を実行する変動パターンＰＡ３−２が決定される。その結果、大当り種別が「２Ｒ非確変（時短１００回）」又は「７Ｒ確変」である場合には、飾り図柄の可変表示において第１特定演出が実行される。ここで、図１０（Ｂ）に示す大当り種別の決定テーブルでは、「２Ｒ非確変（時短１００回）」に対して判定値１〜５が割り当てられ、「７Ｒ確変」に対して判定値６〜５０が割り当てられている。このため、第１特定演出が実行された場合には、飾り図柄の可変表示の終了後、１０％の確率で２Ｒ大当り遊技状態に制御され、９０％の確率で７Ｒ大当り遊技状態に制御される。すなわち、第１特定演出が実行された場合には、大当り遊技状態の終了後、９０％の確率で確変状態に制御される。
【０１５２】
また、大当り種別が「当り」である場合には必ず第２特定演出が実行される変動パターンＰＡ３−３が決定されることとなる。第４大当りである場合には必ず第２特定演出が実行される変動パターンＰＡ３−４が決定される。その結果、大当り種別が第３又は第４大当りである場合には可変表示において必ず第２特定演出が実行されることとなる。この結果、第２特定演出が実行された場合には、第１特定演出が実行された場合よりも高い確率で大当り遊技状態の終了後に確変状態に制御される。
【０１５３】
一方、ステップＳ２６１で大当りフラグがオンで無いと判定した場合は（ステップＳ２６１；ＮＯ）、現在の遊技状態や保留記憶数に応じたハズレ変動パターン（ＰＡ１−１〜ＰＡ１−３、ＰＢ１ー１〜ＰＢ１−２、ＰＡ２−１のいずれか）を今回の可変表示の変動パターンをして決定（選択）する（ステップＳ２６９）。例えば、ＣＰＵ１０３は、現在の合計保留記憶数（第１保留記憶数カウント値と第２保留記憶数カウント値の合計値又は合計保留記憶数カウント値などによって特定すればよい）や時短制御中（時短フラグ又は確変フラグがオン状態のとき）であるか否かなどに応じて、変動パターンＰＢ１−１〜ＰＢ１ー２、変動パターンＰＡ１−１〜ＰＡ１−３、変動パターンＰＡ２−１のいずれかを非リーチのハズレ時における変動パターンとして選択（決定）すればよい。例えば、合計保留記憶数が８個で、時短制御中である場合には、変動パターンＰＢ１−２が選択される。
【０１５４】
ステップＳ２６３、Ｓ２６５、Ｓ２６７、Ｓ２６８又はＳ２６９が実行されることによって、変動パターンが選択される。つまり、飾り図柄の可変表示の態様（演出内容）が決定される。
【０１５５】
ステップＳ２６３、Ｓ２６５、Ｓ２６７、Ｓ２６８又はＳ２６９の処理のいずれかを実行した後には、特別図柄の可変表示時間である特図変動時間を設定する（ステップＳ２７２）。特別図柄の可変表示時間となる特図変動時間は、特図ゲームにおいて特別図柄の変動を開始してから可変表示結果（特図表示結果）となる確定特別図柄が導出表示されるまでの所要時間である。特図変動時間は、図１２に示すように、予め用意された複数の変動パターンに対応して、予め定められている。ＣＰＵ１０３は、Ｓ２６３、Ｓ２６５、Ｓ２６７、Ｓ２６８又はＳ２６９のうちの実行されたステップの処理で選択した変動パターンに応じた特図変動時間を設定することにより、特別図柄や飾り図柄の可変表示結果が導出されるタイミングを設定できる。
【０１５６】
ステップＳ２７２の処理に続いて、第１特別図柄表示装置４Ａにおける第１特図を用いた特図ゲームと、第２特別図柄表示装置４Ｂにおける第２特図を用いた特図ゲームのうち、開始条件が成立したいずれかの特図ゲームを開始させるように、特別図柄の変動を開始させる（ステップＳ２７３）。一例として、変動特図指定バッファ値が「１」であれば、第１特別図柄表示装置４Ａにおける第１特図の表示を更新させる駆動信号を送信する。一方、変動特図指定バッファ値が「２」であれば、第２特別図柄表示装置４Ｂにおける第２特図の表示を更新させる駆動信号を送信する。なお、このとき、ＣＰＵ１０３は、第１特図を用いた可変表示を開始するときには、第１保留表示器２５Ａを制御して、１つ減算された第１特図保留記憶数を特定可能な表示を第１保留表示器２５Ａに行わせる（例えば、ＬＥＤの点灯個数を１つ減らす）ようにしてもよい。なお、このとき、ＣＰＵ１０３は、第２特図を用いた可変表示を開始するときには、第２保留表示器２５Ｂを制御して、１つ減算された第２特図保留記憶数を特定可能な表示を第２保留表示器２５Ｂに行わせる（例えば、ＬＥＤの点灯個数を１つ減らす）ようにしてもよい。
【０１５７】
ステップＳ２７３の処理を実行した後には、特別図柄の変動開始時におけるコマンドの送信設定が行われる（ステップＳ２７４）。例えば、変動特図指定バッファ値が「１」である場合に、ＣＰＵ１０３は、主基板１１から演出制御基板１２に対して第１変動開始コマンド、変動パターン指定コマンド、可変表示結果通知コマンド、第１保留記憶数通知コマンドを順次に送信するために、予め用意された第１変動開始用コマンドテーブルのＲＯＭ１０１における記憶アドレス（先頭アドレス）を指定する。他方、変動特図指定バッファ値が「２」である場合に、ＣＰＵ１０３は、主基板１１から演出制御基板１２に対して第２変動開始コマンド、変動パターン指定コマンド、可変表示結果通知コマンド、第２保留記憶数通知コマンドを順次に送信するために、予め用意された第２変動開始用コマンドテーブルのＲＯＭ１０１における記憶アドレスを指定する。設定されたコマンドは、例えば特別図柄プロセス処理が終了した後、上述のコマンド制御処理が実行されることなどにより、主基板１１から演出制御基板１２に対して伝送される。
【０１５８】
第１変動開始コマンドや第２変動開始コマンドは、第１特別図柄表示装置４Ａにおける第１特図を用いた特図ゲームにおける変動開始や、第２特別図柄表示装置４Ｂにおける第２特図を用いた特図ゲームにおける変動開始を、指定する演出制御コマンドである。変動パターン指定コマンドは、Ｓ２６３、Ｓ２６５、Ｓ２６７、Ｓ２６８又はＳ２６９のうちの実行されたステップの処理において選択された変動パターンの内容を指定する演出制御コマンドであり、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する演出制御コマンドである。可変表示結果通知コマンドは、ステップＳ２４６において決定された確定特別図柄に基づいて、特別図柄の可変表示結果（「大当り」、「ハズレ」のいずれであるかや、大当り種別が何であるかなど）を指定する演出制御コマンドである。第１保留記憶数通知コマンドや第２保留記憶数通知コマンドは、第１特図保留記憶数や第２特図保留記憶数を通知する演出制御コマンドである。
【０１５９】
ステップＳ２６８の処理を実行した後には、特図プロセスフラグの値を“２”に更新してから（ステップＳ２７５）、変動パターン設定処理を終了する。ステップＳ２７５にて特図プロセスフラグの値が“２”に更新されることにより、次回のタイマ割込みが発生したときには、図６に示すステップＳ１１２の特別図柄変動処理が実行される。
【０１６０】
ステップＳ１１２の特別図柄変動処理は、特図プロセスフラグの値が“２”のときに実行される。この特別図柄変動処理には、特別図柄表示装置４において特別図柄を変動させる処理や、その特別図柄が変動を開始してからの経過時間を計測する処理などが含まれている。そして、特別図柄の変動を開始してからの経過時間が特図変動時間に達したときには、特別図柄表示装置４にて特別図柄の変動を停止させ、特別図柄の可変表示結果となる確定特別図柄（ステップＳ１１０で設定された確定特別図柄）を停止表示（導出表示）させ、また、停止表示されるときに特別図柄が停止表示されたこと（導出表示されたこと）を通知する制御コマンドである図柄確定コマンドの送信設定も行い、特図プロセスフラグの値が“３”に更新される。ＣＰＵ１０３は、図柄確定コマンドの送信設定では、主基板１１から演出制御基板１２に対して図柄確定コマンドを送信するために、予め用意された図柄確定コマンドテーブルのＲＯＭ１０１における記憶アドレス（先頭アドレス）を指定する。設定された図柄確定コマンドは、例えば特別図柄プロセス処理が終了した後、上述のコマンド制御処理が実行されることなどにより、主基板１１から演出制御基板１２に対して伝送される。
【０１６１】
ステップＳ１１３の特別図柄停止処理は、特図プロセスフラグの値が“３”のときに実行される。そして、ＲＡＭ１０２の所定領域（例えば遊技制御フラグ設定部）に設けられた大当りフラグがオン状態となっているか否かの判定などが行われる。
【０１６２】
図１３は、特別図柄停止処理として、図３のステップＳ１１３にて実行される処理の一例を示すフローチャートである。図１３に示す特別図柄停止処理において、ＣＰＵ１０３は、大当りフラグがオン状態であるか否かを判定する（ステップＳ３５１）。大当りフラグがオン状態である場合（ステップＳ３５１；Ｙｅｓ）、時短フラグ及び確変フラグをオフ状態にし、時短回数カウンタのカウント値を「０」にすることなどによって、時短フラグ及び確変フラグ、時短回数カウンタをリセットする（ステップＳ３５２）。時短回数カウンタは、ＲＡＭ１０２の所定領域（遊技制御カウンタ設定部など）に設けられた、時短制御中に実行される可変表示の残り回数をカウントするカウンタである。
【０１６３】
その後、ＲＡＭ１０２の所定領域（例えば遊技制御タイマ設定部）に設けられた大入賞口制御タイマ（タイマ値を示すデータが記憶される）に大当り表示時間（大当りが発生したことを、例えば、画像表示装置５において報知する時間であり、予め定められた時間である。）を設定し（ステップＳ３５３）、ＲＡＭ１０２の所定領域（例えば遊技制御カウンタ設定部）に設けられたラウンド数計数用カウンタ（大当り遊技状態で実行される残りのラウンド数をカウントするためのもの、ラウンド数カウンタともいう。）にカウント初期値（大当り種別バッファに格納された大当り種別に応じた上限ラウンド数であり、大当り種別が「２Ｒ非確変（時短１００回）」又は「２Ｒ非確変（時短３０回）」である場合には「２」、「７Ｒ確変」である場合には「７」、「１５Ｒ確変」である場合には「１５」）を設定し（ステップＳ３５４）、当り開始指定コマンド及び遊技状態指定コマンドの送信設定を行い（ステップＳ３５６）、特図プロセスフラグを「４」に更新し（ステップＳ３５６）、特別図柄停止処理を終了する。
【０１６４】
当り開始指定コマンドは、特図表示結果が「大当り」であることに基づく大当り遊技状態の開始を指定する制御コマンドである。ＣＰＵ１０３は、当り開始指定コマンドの送信設定では、主基板１１から演出制御基板１２に対して当り開始指定コマンドを送信するために、予め用意された当り開始指定コマンドテーブルのＲＯＭ１０１における記憶アドレス（先頭アドレス）を指定する。設定された当り開始指定コマンドは、例えば特別図柄プロセス処理が終了した後、上述のコマンド制御処理が実行されることなどにより、主基板１１から演出制御基板１２に対して伝送される。
【０１６５】
遊技状態指定コマンドは、現在の遊技状態（ステップＳ３５６では、通常状態を指定するコマンド）を指定する制御コマンドである（例えば、確変フラグのオン状態・オフ状態と、時短フラグのオン状態・オフ状態とを指定することによって遊技状態を指定するコマンド）。ＣＰＵ１０３は、遊技状態指定コマンドの送信設定では、主基板１１から演出制御基板１２に対して遊技状態指定コマンドを送信するために、予め用意された遊技状態指定コマンドテーブルのＲＯＭ１０１における記憶アドレス（先頭アドレス）を指定する。設定された遊技状態指定コマンドは、例えば特別図柄プロセス処理が終了した後、上述のコマンド制御処理が実行されることなどにより、主基板１１から演出制御基板１２に対して伝送される。
【０１６６】
ＣＰＵ１０３は、大当りフラグがオン状態でない（オフ状態である）場合（ステップＳ３５１；Ｎｏ）、時短フラグがオンであるかを判定する（ステップＳ３６４）。ＣＰＵ１０３は、時短フラグがオンである場合には（ステップＳ３６４；Ｙｅｓ）、時短回数カウンタのカウント値を「１」減らし（ステップＳ３６５）、減らした後のカウント値が「０」であるかを判定する（ステップＳ３６６）。ＣＰＵ１０３は、カウント値が「０」である場合（ステップＳ３６６；Ｙｅｓ）、時短フラグをオフ状態にし（ステップＳ３６７）、時短状態を終了させる。ＣＰＵ１０３は、ステップＳ３６７の処理を行った後には、ステップＳ３５５と同様に、現在の遊技状態（時短が終了した遊技状態）を指定する遊技状態指定コマンドの送信設定を行い（ステップＳ３６８）、特図プロセスフラグの値を「０」に更新して（ステップＳ３６９）、特別図柄停止処理を終了する。ＣＰＵ１０３は、時短フラグがオンでない場合（ステップＳ３６４；Ｎｏ）、カウント値が「０」でない場合（ステップＳ３６６；Ｎｏ）も、特別図柄停止処理を終了する。
【０１６７】
これら一連の処理によって、大当り時には、一旦時短状態や確変状態が終了し、ハズレ時には、時短中において実行可能な残りの可変表示が「１回」減らされる。時短中において実行可能な残りの可変表示が「０」回になると、時短フラグがオフになり時短状態が終了する。つまり、時短状態（時短制御）は、その開始から可変表示結果が「大当り」になる前に予め定められた所定回数（下記の初期カウント値）だけ可変表示が実行された場合に終了する。また、遊技状態の変更があった場合には、変更後の遊技状態の通知が演出制御基板１２側になされる。
【０１６８】
ステップＳ１１４の大当り開放前処理は、特図プロセスフラグの値が“４”のときに実行される。この大当り開放前処理には、可変表示結果が「大当り」となったこと、ラウンド遊技の開始タイミングになったこと（例えば、大入賞口制御タイマに設定されたタイマ値が「０」になることなどによって、大入賞口制御タイマで計測される大当り表示時間が経過したことを含む。）などに基づき、大当り遊技状態においてラウンド遊技の実行を開始して大入賞口を開放状態とする処理などが含まれている。この処理では、例えば大入賞口を開放状態とする期間の上限（ラウンド遊技が実行され得る上限期間）を設定する（例えば、７Ｒ大当り遊技状態又は１５Ｒ大当り遊技状態において２９秒間、２Ｒ大当り遊技状態において０．５秒間）。大当り開放前処理が実行されたときには、特図プロセスフラグの値が“５”に更新される。
【０１６９】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態（又は一部開放状態であってもよい。）に戻すタイミングとなったか否かを判定する処理や、大入賞口を開放状態から閉鎖状態に戻すタイミング（前記遊技球の個数が所定個数（例えば９個）に達するか、ステップＳ１１４で設定した上限期間に経過時間が達するか、のいずれかがあったタイミング）と判別した場合に大入賞口を閉鎖状態に戻す処理などが含まれている。そして、大入賞口を閉鎖状態に戻したときには、ラウンド数計数用カウンタの値が「１」減らされ、特図プロセスフラグの値が“６”に更新される。
【０１７０】
ステップＳ１１６の大当り開放後処理は、特図プロセスフラグの値が“６”のときに実行される。この大当り開放後処理には、大入賞口を開放状態とするラウンド遊技の実行回数が所定の上限回数に達したか否か（ラウンド数計数用カウンタの値が「０」であるか否か）を判定する処理や、上限回数に達していない場合（ラウンド数計数用カウンタの値が「０」でない場合）に大入賞口を閉鎖状態に戻してからの経過時間を計測する処理などが含まれている。そして、計測した経過時間が次回のラウンド遊技が開始される時間になるなどして次回のラウンド遊技が開始されるときには、特図プロセスフラグの値が“４”に更新される一方、ラウンド遊技の実行回数が上限回数に達したとき（ラウンド数計数用カウンタの値が「０」になったとき）には、大当り遊技状態が終了したことを通知する制御コマンドである大当り遊技状態終了コマンドを送信する設定を行い、特図プロセスフラグの値が“７”に更新される。ＣＰＵ１０３は、大当り遊技状態終了コマンドの送信設定では、例えば、主基板１１から演出制御基板１２に対して大当り遊技状態終了コマンドを送信するために、予め用意されたコマンドテーブルのＲＯＭ１０１における記憶アドレス（先頭アドレス）を指定する。
【０１７１】
ステップＳ１１４からＳ１１６が繰り返し実行されることによって、大当り遊技状態における各ラウンド遊技が実行される。特に、２Ｒ大当り遊技状態では、２回のラウンド遊技が実行され、７Ｒ大当り遊技状態では、７回のラウンド遊技が実行され、１５Ｒ大当り遊技状態では、１５回のラウンド遊技が実行される。
【０１７２】
ステップＳ１１７の大当り終了処理は、特図プロセスフラグの値が“７”のときに実行される。図１４は、図３のステップＳ１１７にて実行される大当り終了処理の一例を示すフローチャートである。図１４に示す大当り終了処理において、ＣＰＵ１０３は、まず、大当り終了時演出（エンディング演出）待ち時間（大当り遊技状態の終了を報知する演出動作としての後述のエンディング演出が実行される期間に対応した待ち時間）が経過したか否かを判定する（ステップＳ３２１）。一例として、図３に示すステップＳ１１６の大当り開放後処理では、特図プロセスフラグの値を“７”に更新するときに、大当り終了時演出待ち時間に対応して予め定められたタイマ初期値がＲＡＭ１０２の所定領域に設けられた遊技制御プロセスタイマにセットされる。この場合、ステップＳ３２１の処理では、例えば遊技制御プロセスタイマ値を１減算することなどにより更新し、更新後の遊技制御プロセスタイマ値が所定の待ち時間経過判定値（例えば「０」など）と合致したか否かに応じて、大当り終了時演出待ち時間が経過したか否かを判定すればよい。ステップＳ３２１にて大当り終了時演出待ち時間が経過していなければ（ステップＳ３２１；Ｎｏ）、そのまま大当り終了処理を終了する。
【０１７３】
これに対して、ステップＳ３２１にて大当り終了時演出待ち時間が経過した場合には（ステップＳ３２１；Ｙｅｓ）、ＣＰＵ１０３は、大当り種別バッファに格納された大当り種別に応じて、時短フラグ及び確変フラグを切り替える（ステップＳ３２３）。大当り種別が「２Ｒ非確変（時短１００回）」又は「２Ｒ非確変（時短３０回）」であれば、時短フラグをオン状態にし、大当り種別が「７Ｒ確変」又は「１５Ｒ確変」であれば、確変フラグをオン状態に切り替える。このようにして、２Ｒ大当り遊技状態の終了後の遊技状態は、時短制御のみがある時短状態（低確高ベース状態）になり、７Ｒ大当り遊技状態又は１５Ｒ大当り遊技状態の終了後の遊技状態は、時短制御及び確変制御がある確変状態（高確高ベース状態）になる（図１５参照）。
【０１７４】
その後、ＣＰＵ１０３は、ステップＳ３２３で時短フラグをオンにした場合には、時短回数カウンタにカウント初期値（例えば、「２Ｒ非確変（時短１００回）」の場合は１００回、「２Ｒ非確変（時短３０回）」の場合は３０回）を設定する（ステップＳ３２４）。ＣＰＵ１０３は、ステップＳ３２３で時短フラグをオンにしていない場合には、ステップＳ３２５の処理を行う。そして、ＣＰＵ１０３は、ステップＳ３５５と同様に、現在の遊技状態（ステップＳ３２３の処理内容に応じた遊技状態）を指定する遊技状態指定コマンドの送信設定を行い（ステップＳ３２５）、特図プロセスフラグの値を「０」に更新して（ステップＳ３２６）、大当り終了処理を終了する。
【０１７５】
次に、演出制御基板１２における主要な動作を説明する。
【０１７６】
演出制御基板１２では、電源基板等から電源電圧の供給を受けると、演出制御用ＣＰＵ１２０が起動して、所定の演出制御メイン処理を実行する。図１６は、演出制御メイン処理の一例のフローチャートである。演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。その後、ＲＡＭ１２２の所定領域（例えば演出制御フラグ設定部）に設けられたタイマ割込みフラグがオンとなっているか否かの判定を行う（ステップＳ７２）。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する（ステップＳ７２；Ｎｏ）。
【０１７７】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１７８】
タイマ割込みフラグがオンである場合には（ステップＳ７２；Ｙｅｓ）、タイマ割込みフラグをクリアしてオフ状態にするとともに、コマンド解析処理を実行する（ステップＳ７４）。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０１７９】
コマンド解析処理を実行した後には、演出制御プロセス処理を実行する（ステップＳ７５）。演出制御プロセス処理では、例えば画像表示装置５の表示領域における演出画像の表示動作、スピーカ８Ｌ、８Ｒからの音声出力動作、遊技効果ランプ９及び装飾用ＬＥＤといった発光体における点灯動作などといった各種の演出装置を用いた演出動作の制御内容について、主基板１１から送信された演出制御コマンド等に応じた判定や決定、設定などが行われる。演出制御プロセス処理に続いて、演出用乱数更新処理が実行され（ステップＳ７６）、演出制御に用いる各種の乱数値として、ＲＡＭ１２２のランダムカウンタによってカウントされる演出用乱数を示す数値データを、ソフトウェアにより更新する。その後、ステップＳ７２の処理が再度実行される。
【０１８０】
図１７は、コマンド解析処理の一例を示すフローチャートである。図１７のコマンド解析処理において、演出制御用ＣＰＵ１２０は、主基板１１から伝送された始動口入賞指定コマンド、入賞時判定結果指定コマンド、保留記憶数通知コマンドの３つのコマンドの一括受信又は連続受信があったか否かを判定する（ステップＳ６８１）。
【０１８１】
３つのコマンドの受信があった場合（ステップＳ６８１；Ｙｅｓ）、これによって、第１始動条件又は第２始動条件が成立したことが分かるので、演出制御用ＣＰＵ１２０は、３つの受信コマンドに応じて入賞時判定結果を第１保留情報バッファ又は第２保留情報バッファのうちの始動条件に対応する方に格納する（ステップＳ６８２）。第１保留情報バッファ及び第２保留情報バッファは、それぞれ、ＲＡＭ１２２の所定領域に設けられる。第１保留情報バッファは、第1始動条件の開始に基づいて先読みが行われた入賞時判定結果を保留情報（先読み結果）として格納していくものである。第１保留情報バッファに格納される保留情報と、第1特図保留記憶部に格納される保留データとは、互いに対応している。第２保留情報バッファは、第２始動条件の開始に基づいて先読みが行われた入賞時判定結果を保留情報（先読み結果）として格納していくものである。第２保留情報バッファに格納される保留情報と、第２特図保留記憶部に格納される保留データとは、互いに対応している。
【０１８２】
一例として、ステップＳ６８２では、演出制御用ＣＰＵ１２０は、３つの受信コマンドのうち、始動口入賞指定コマンドが第１始動口入賞指定コマンドである場合には、３つの受信コマンドのうちの入賞時判定結果指定コマンドがコマンド１から５のいずれであるかを特定し、そのコマンドが通知する入賞時判定結果を、保留情報として、第１保留情報バッファにおける空き領域のうちで、保留番号が最も小さい格納領域（３つの受信コマンドのうちの第１保留記憶数通知コマンドで通知された第１特図保留記憶数と同一の保留番号に対応した格納領域）に格納する（図１８（Ａ）参照）。
【０１８３】
一方、ステップＳ６８２では、演出制御用ＣＰＵ１２０は、３つの受信コマンドのうち、始動口入賞指定コマンドが第２始動口入賞指定コマンドである場合には、３つの受信コマンドのうちの入賞時判定結果指定コマンドがコマンド１から５のいずれであるかを特定し、そのコマンドが通知する入賞時判定結果を、保留情報として、第２保留情報バッファにおける空き領域のうちで、保留番号が最も小さい格納領域（３つの受信コマンドのうちの第２保留記憶数通知コマンドで通知された第２特図保留記憶数と同一の保留番号に対応した格納領域）に格納する（図１８（Ｂ）参照）。
【０１８４】
図１８（Ａ）及び（Ｂ）は、第１保留情報バッファ及び第２保留情報バッファそれぞれの記憶内容の一例を示す図である。図１８（Ａ）に示す第１保留情報バッファでは、保留番号「１」から「３」に対応する格納領域に、入賞時判定結果を示すデータ（保留情報）が記憶されている。図１８（Ｂ）に示す第２保留情報バッファでは、保留番号「１」から「２」に対応する格納領域に、入賞時判定結果を示すデータ（保留情報）が記憶されている。
【０１８５】
ステップＳ６８２の処理のあと、保留記憶の数が１増えているので、演出制御用ＣＰＵ１２０は、例えば表示制御部１２３のＶＤＰ等に対して所定の表示制御指令を伝送させることといった制御を行うことで、画像表示装置５の始動入賞記憶表示エリア５Ｈの所定領域の色を変更させるなどして、始動入賞記憶表示エリア５Ｈの保留記憶表示を変化させ、保留表示図柄を１つ増やし、保留記憶表示によって特定可能となる可変表示の保留数を１つ増やす（ステップＳ６８３）。始動口入賞指定コマンドが第１始動口入賞指定コマンドである場合には、始動入賞記憶表示エリア５Ｈの左側に表示される保留表示図柄を１つ増やして、第１保留表示によって特定可能となっている第１特図保留記憶数を１つ増加させる。始動口入賞指定コマンドが第２始動口入賞指定コマンドである場合には、始動入賞記憶表示エリア５Ｈの右側に表示される保留表示図柄を１つ増やして、第２保留表示によって特定可能となっている第２特図保留記憶数を１つ増加させる。
【０１８６】
ステップＳ６８３の処理のあと、又は、ステップＳ６８１で上記コマンドの受信がないと判定された場合（ステップＳ６８１；No）、演出制御用ＣＰＵ１２０は、主基板１１から伝送される、変動開始コマンドを含む特別図柄の変動開始時におけるコマンドの受信があったかを判定し（ステップＳ６８４）、受信があった場合には（ステップＳ６８４；Ｙｅｓ）、受信した変動開始コマンドに応じて、第１保留情報バッファ又は第２保留情報バッファに格納された保留情報を消化する（ステップＳ６８５）。
【０１８７】
ステップＳ６８５では、一例として、演出制御用ＣＰＵ１２０は、第１変動開始コマンドを受信した場合には、第１保留情報バッファの１つ目の格納領域（保留番号「１」に対応した領域）に格納された保留情報を読み出して消去し、以降の記憶内容をシフトさせる。これによって、保留番号「１」に対応した領域に格納された保留情報が消化され、保留番号「２」から「４」に対応した領域に格納された保留情報が、保留番号「１」から「３」に対応した領域に移される。
【０１８８】
また、第２変動開始コマンドを受信した場合には、演出制御用ＣＰＵ１２０は、第２保留情報バッファの１つ目の格納領域（保留番号「１」に対応した領域）に格納された保留情報を読み出して消去し、以降の記憶内容をシフトさせる。これによって、保留番号「１」に対応した領域に格納された保留情報が消化され、保留番号「２」から「４」に対応した領域に格納された保留情報が、保留番号「１」から「３」に対応した領域に移される。
【０１８９】
このような処理によって、特別図柄の可変表示の開始に応じて開始される可変表示に対応する保留情報を消化することができる。
【０１９０】
その後、演出制御用ＣＰＵ１２０は、例えば、表示制御部１２３のＶＤＰ等に対して所定の表示制御指令を伝送させることといった制御を行うことで、画像表示装置５の始動入賞記憶表示エリア５Ｈの所定領域の色を変更させるなどして、始動入賞記憶表示エリア５Ｈの保留記憶表示を変化させ、保留表示図柄を１つ減らし、保留記憶表示によって特定可能となる可変表示の保留数を１つ減らす（ステップＳ６８６）。演出制御用ＣＰＵ１２０は、第１保留情報バッファの保留情報を消去した場合、例えば、始動入賞記憶表示エリア５Ｈの所定領域の色を変更させるなどして、始動入賞記憶表示エリア５Ｈの左側に表示される保留表示図柄を１つ減らし（左側の保留表示図柄における一番右の保留表示図柄を消去し）、始動入賞記憶表示エリア５Ｈの第１保留記憶表示を変化させ、第１保留表示によって特定可能となっている第１特図保留記憶数を１つ減らす。演出制御用ＣＰＵ１２０は、第２保留情報バッファの保留情報を消去した場合、例えば、始動入賞記憶表示エリア５Ｈの所定領域の色を変更させるなどして、始動入賞記憶表示エリア５Ｈの右側に表示される保留表示図柄を１つ減らし（右側の保留表示図柄における一番右の保留表示図柄を消去し）、始動入賞記憶表示エリア５Ｈの第２保留記憶表示を変化させ、第２保留表示によって特定可能となっている第２特図保留記憶数を１つ減らす。
【０１９１】
これら処理によって、保留記憶表示によって特定可能となる可変表示の保留数が１つ減らされる。なお、このような、保留記憶表示によって特定可能となる可変表示の保留数を１つ減らす処理は、飾り図柄の可変表示の開始に応じて行われても良い（例えば、後述のステップＳ５１１などで行われても良い）。
【０１９２】
ステップＳ６８６の処理のあと、又は、ステップＳ６８４で上記コマンドの受信がないと判定された場合（ステップＳ６８４；Ｎｏ）、演出制御用ＣＰＵ１２０は、主基板１１から伝送される遊技状態指定コマンドの受信があったか否かを判定し（ステップＳ６８７）、受信があった場合には（ステップＳ６８７；Ｙｅｓ）、受信した遊技状態指定コマンドの内容に基づいて、確変フラグ及び時短フラグのオン状態・オフ状態を切り替える（ステップＳ６８８）。
【０１９３】
確変フラグは、例えば、ＲＡＭ１２２の所定領域（例えば演出制御フラグ設定部）に設けられ、確変状態になったことに対応してオン状態になるものであり、主基板１１側の確変フラグのオン状態・オフ状態の切り替えに対応して、オン状態・オフ状態が切り替わる。時短フラグは、例えば、ＲＡＭ１２２の所定領域（例えば演出制御フラグ設定部）に設けられ、時短状態になったことに対応してオン状態になるものであり、主基板１１側の時短フラグのオン状態・オフ状態の切り替えに対応して、オン状態・オフ状態が切り替わる。
【０１９４】
ステップＳ６８８において、演出制御用ＣＰＵ１２０は、遊技状態指定コマンドが確変状態を指定するものである場合、確変フラグをオン状態にする（すでにオン状態である場合には、オン状態を維持する。以下、両フラグについてのオン状態、オフ状態について同じ）。遊技状態指定コマンドが時短状態を指定するものである場合、確変フラグをオフ状態とし、時短フラグをオン状態にする。遊技状態指定コマンドが低確低ベース状態（通常状態）を指定するものである場合（例えば、確変フラグ及び時短フラグがオフ状態であることを指定する場合）、確変フラグ及び時短フラグをともにオフ状態にする。
【０１９５】
ステップＳ６８８の処理のあと、又は、ステップＳ６８７で上記コマンドの受信がないと判定された場合（ステップＳ６８７；Ｎｏ）、演出制御用ＣＰＵ１２０は、その他のコマンド解析処理を実行してから（ステップＳ６８６）、コマンド解析処理を終了する。
【０１９６】
図１９は、演出制御プロセス処理の一例を示すフローチャートである。図１９に示す演出制御プロセス処理において、演出制御用ＣＰＵ１２０は、まず、先読み演出決定処理を行う（ステップＳ１６１）。図２０は、先読み演出決定処理の一例を示すフローチャートである。先読み演出決定処理において、演出制御用ＣＰＵ１２０は、まず、例えば第１保留情報バッファや第２保留情報バッファといった、保留情報バッファにおける記憶内容をチェックする（ステップＳ６５１）。
【０１９７】
ステップＳ６５１の処理によるチェック結果に基づいて、演出制御用ＣＰＵ１２０は、新たな始動入賞があったか否かを判定する（ステップＳ６５２）。例えば、第１保留情報バッファや第２保留情報バッファにおいて、新たな保留情報が記憶されたかによって前記判定を行う（新たな保留情報が記憶されていれば、新たな始動入賞があったことなる。）。なお、新たな保留情報や、この新たな保留情報に対応して実行される可変表示を、適宜先読みターゲットの保留情報又は可変表示ということもある。
【０１９８】
ステップＳ６５２にて新たな始動入賞がないと判定された場合には（ステップＳ６５２；Ｎｏ）、先読み演出決定処理を終了する。一方、新たな始動入賞があったと判定された場合には（ステップＳ６５２；Ｙｅｓ）、演出制御用ＣＰＵ１２０は、先読みターゲットの保留情報（入賞時判定結果）が「大当り」を表すものであるか否かを判定する（ステップＳ６５３）。
【０１９９】
先読みターゲットの保留情報が大当りを表さない場合（「ハズレ」を表す場合）には（ステップＳ６５３；Ｎｏ）、先読み予告を実行しないので、ステップＳ６６２まで処理をスキップする。
【０２００】
先読みターゲットの保留情報が大当りを表す場合には（ステップＳ６５３；Ｙｅｓ）、演出制御用ＣＰＵ１２０は、現在の遊技状態が確変状態であるか（つまり、上述のように、主基板１１から伝送される遊技状態指定コマンドの内容に基づいてオン状態・オフ状態が切り替わる、確変フラグがオン状態であるか）否かを判定する（ステップＳ６５５）。確変状態である場合（ステップＳ６５５；ＹＥＳ）、さらに大当り種別が「２Ｒ非確変（時短１００回）」又は「２Ｒ非確変（時短３０回）」であるか判定する（ステップＳ６５６）。大当り種別が「２Ｒ非確変（時短３０回）」又は「２Ｒ非確変（時短３０回）」である場合（ステップＳ６５６；ＹＥＳ）、図２１（Ａ）の先読み演出決定テーブルＡを参照して、２Ｒ大当り遊技状態に制御される可能性を予告する不利先読み演出の実行の有無を決定する（ステップＳ６５７）。ステップＳ６５７において、演出制御用ＣＰＵ１２０は、予めＲＯＭ１２１の所定領域に記憶するなどして用意された先読み演出決定テーブルＡ（図２１（Ａ）参照）を選択し、不利先読み演出の実行の有無を決定するための使用テーブルに設定する。さらに、演出制御用ＣＰＵ１２０は、乱数値ＳＲ１を示す数値データを抽出する。先読み演出決定テーブルＡは、例えば、図２１（Ａ）に示すように、乱数値ＳＲ１と比較される数値（決定値）が、不利先読み演出の実行の有無にそれぞれ割り当てられていればよい。演出制御用ＣＰＵ１２０は、前記で抽出した乱数値ＳＲ１を示す数値データに基づいて、使用テーブルに設定された先読み演出決定テーブルＡを参照することにより、乱数値ＳＲ１に該当する決定値に割り当てられた実行の有無を選択すればよい。
【０２０１】
一方、大当り種別が「２Ｒ非確変（時短１００回）」又は「２Ｒ非確変（時短３０回）」でない場合（即ち、「７Ｒ確変」又は「１５Ｒ確変」である場合。ステップＳ６５６；ＮＯ）、図２１（Ｂ）の先読み演出決定テーブルＢを参照して、７Ｒ大当り遊技状態又は１５Ｒ大当り遊技状態に制御される可能性を予告する有利先読み演出の実行の有無を決定する（ステップＳ６５８）。ステップＳ６５８において、演出制御用ＣＰＵ１２０は、予めＲＯＭ１２１の所定領域に記憶するなどして用意された先読み演出決定テーブルＢ（図２１（Ｂ）参照）を選択し、有利先読み演出の実行の有無を決定するための使用テーブルに設定する。さらに、演出制御用ＣＰＵ１２０は、乱数値ＳＲ１を示す数値データを抽出する。先読み演出決定テーブルＢは、例えば、図２１（Ｂ）に示すように、乱数値ＳＲ１と比較される数値（決定値）が、有利先読み演出の実行の有無にそれぞれ割り当てられていればよい。演出制御用ＣＰＵ１２０は、前記で抽出した乱数値ＳＲ１を示す数値データに基づいて、使用テーブルに設定された先読み演出決定テーブルＢを参照することにより、乱数値ＳＲ１に該当する決定値に割り当てられた実行の有無を選択すればよい。
【０２０２】
一方、ステップＳ６５５で確変状態で無いと判定された場合（ステップＳ６５５；ＮＯ）、次にさらに大当り種別が「２Ｒ非確変（時短１００回）」又は「２Ｒ非確変（時短３０回）」であるか判定する（ステップＳ６５６）。大当り種別が「２Ｒ非確変（時短１００回）」又は「２Ｒ非確変（時短３０回）」である場合（ステップＳ６５６；ＹＥＳ）、図２１（Ｃ）の先読み演出決定テーブルＣを参照して、２Ｒ大当り遊技状態に制御される可能性を予告する不利先読み演出の実行の有無を決定する（ステップＳ６６０）。ステップＳ６６０において、演出制御用ＣＰＵ１２０は、予めＲＯＭ１２１の所定領域に記憶するなどして用意された先読み演出決定テーブルＣ（図２１（Ｃ）参照）を選択し、不利先読み演出の実行の有無を決定するための使用テーブルに設定する。さらに、演出制御用ＣＰＵ１２０は、乱数値ＳＲ１を示す数値データを抽出する。先読み演出決定テーブルＣは、例えば、図２１（Ｃ）に示すように、乱数値ＳＲ１と比較される数値（決定値）が、先読み演出の実行の有無にそれぞれ割り当てられていればよい。演出制御用ＣＰＵ１２０は、前記で抽出した乱数値ＳＲ１を示す数値データに基づいて、使用テーブルに設定された先読み演出決定テーブルＣを参照することにより、乱数値ＳＲ１に該当する決定値に割り当てられた実行の有無を選択すればよい。
【０２０３】
一方、大当り種別が「２Ｒ非確変（時短１００回）」又は「２Ｒ非確変（時短３０回）」でない場合（即ち、「７Ｒ確変」又は「１５Ｒ確変」である場合。ステップＳ６５９；ＮＯ）、図２１（Ｄ）の先読み演出決定テーブルＤを参照して、７Ｒ大当り遊技状態又は１５Ｒ大当り遊技状態に制御される可能性を予告する有利先読み演出の実行内容を決定する（ステップＳ６６１）。ステップＳ６６１において、演出制御用ＣＰＵ１２０は、予めＲＯＭ１２１の所定領域に記憶するなどして用意された先読み演出決定テーブルＤ（図２１（Ｄ）参照）を選択し、有利先読み演出の実行の有無を決定するための使用テーブルに設定する。さらに、演出制御用ＣＰＵ１２０は、乱数値ＳＲ１を示す数値データを抽出する。先読み演出決定テーブルＤは、例えば、図２１（Ｄ）に示すように、乱数値ＳＲ１と比較される数値（決定値）が、有利先読み演出の実行の有無にそれぞれ割り当てられていればよい。演出制御用ＣＰＵ１２０は、前記で抽出した乱数値ＳＲ１を示す数値データに基づいて、使用テーブルに設定された先読み演出決定テーブルＤを参照することにより、乱数値ＳＲ１に該当する決定値に割り当てられた実行の有無を選択すればよい。
【０２０４】
ステップＳ６５７、Ｓ６５８、Ｓ６６０又はＳ６６１のいずれかの処理のあと、演出制御用ＣＰＵ１２０は、ステップＳ６５７、Ｓ６５８、Ｓ６６０又はＳ６６１のいずれかで決定した先読み演出の実行内容に基づいて、先読み演出の演出動作制御を行い（Ｓ６６２）、先読み演出決定処理を終了する。演出制御用ＣＰＵ１２０は、例えば、不利先読み演出を実行すると決定した場合には、表示制御部１２３のＶＤＰ等に対して所定の表示制御指令を伝送させることといった制御を行うことで、画像表示装置５の始動入賞記憶表示エリア５Ｈの先読みターゲットの可変表示に対応する保留表示図柄を、「不利」を示す数字、記号又は文字画像（例えば、丸印の中に「×」、「危険」又は「不利」を含む画像）に変更する。また、演出制御用ＣＰＵ１２０は、有利先読み演出を実行すると決定した場合には、表示制御部１２３のＶＤＰ等に対して所定の表示制御指令を伝送させることといった制御を行うことで、画像表示装置５の始動入賞記憶表示エリア５Ｈの先読みターゲットの可変表示に対応する保留表示図柄を、「有利」を表す記号又は文字画像（例えば、丸印の中に「○」、「熱」又は「有利」を含む画像）に変更する。なお、先読みターゲットの可変表示に対応する保留表示図柄は、先読みターゲットの保留情報が第１保留情報バッファに記憶されたものであれば、その時点での始動入賞記憶表示エリア５Ｈの左側の領域における一番右の保留表示図柄であり、先読みターゲットの保留情報が第２保留情報バッファに記憶されたものであれば、その時点での始動入賞記憶表示エリア５Ｈの右側の領域における一番右の保留表示図柄である。
【０２０５】
なお、ステップＳ６６２以降、先読み予告演出に係る画像の表示は、その保留表示図柄に対応する可変表示が開始されるまで行われる。また、保留表示図柄が１つ減らされるごとに、先読み予告演出に係る画像は、左方向にシフトするようにする。これによって、先読みターゲットの可変表示がいつ実行されるかが分かりやすくなる。また、ステップＳ６６２において、演出制御用ＣＰＵ１２０は、例えば、先読み演出を実行しないと決定した場合には、画像表示装置５の始動入賞記憶表示エリア５Ｈの先読みターゲットの可変表示に対応する保留表示図柄を変化させないことによって、先読み演出を実行しないようにする。
【０２０６】
図２１（Ａ）から（Ｄ）を参照すると、先読みターゲットの保留情報が大当りを表す場合には、確変状態のときに不利先読み演出が有利先読み演出よりも高い割合で実行される。一方、非確変状態のときに有利先読み演出が不利先読み演出よりも高い割合で実行される。ここで、確変状態に制御されている場合において、大当り組合せを構成する飾り図柄が導出表示されて７Ｒ大当り遊技状態又は１５Ｒ大当り遊技状態に制御されたときは、その終了後も、確変状態に継続して制御される。その一方で、リーチ組合せを構成する飾り図柄が導出表示されて２Ｒ大当り遊技状態に制御されると、その終了後には、時短状態に制御され、確変状態が終了してしまう。このため、確変状態に制御されている場合、遊技者は、７Ｒ大当り遊技状態又は１５Ｒ大当り遊技状態に制御されることよりも、２Ｒ大当り遊技状態に制御されることに対して注目する。これに対して、通常状態や時短状態に制御されている場合、すなわち確変状態に制御されていない場合において、大当り組合せを構成する飾り図柄が導出表示されて７Ｒ大当り遊技状態又は１５Ｒ大当り遊技状態に制御されたときは、その終了後、確変状態が開始する。その一方で、リーチ組合せを構成する飾り図柄が導出表示されて２Ｒ大当り遊技状態に制御されると、その終了後には、時短状態に制御され、確変状態には制御されない。このため、確変状態に制御されていない場合、遊技者は、２Ｒ大当り遊技状態に制御されることよりも、７Ｒ大当り遊技状態又は１５Ｒ大当り遊技状態に制御されることに対して注目するようになる。
【０２０７】
そこで、確変状態に制御されているときには、２Ｒ大当り遊技状態に制御される可能性、すなわち確変状態が終了することを予告する不利先読み演出を実行しやすくする一方で、確変状態に制御されていないときには、７Ｒ大当り遊技状態又は１５Ｒ大当り遊技状態に制御される可能性、すなわち確変状態に制御されることを予告する有利先読み演出を実行しやすくしている。これにより、遊技者が注目する先読み予告演出を効果的に実行することができ、遊技の興趣を向上させることができる。
【０２０８】
演出制御用ＣＰＵ１２０は、ステップＳ１６１の先読み演出決定処理を実行したあと、ＲＡＭ１２２の所定領域（例えば演出制御フラグ設定部）に設けられた演出プロセスフラグの値（最初は、“０”である。）に応じて、以下のようなステップＳ１７０〜Ｓ１７７の処理のいずれかを選択して実行する（図１９参照）。
【０２０９】
ステップＳ１７０の可変表示開始待ち処理は、演出プロセスフラグの値が“０”のときに実行される処理である。この可変表示開始待ち処理は、主基板１１からの第１変動開始コマンドあるいは第２変動開始コマンドなどを受信したか否かに基づき、画像表示装置５における飾り図柄の可変表示を開始するか否かを判定する処理などを含んでいる。第１変動開始コマンドあるいは第２変動開始コマンドなどを受信し、画像表示装置５における飾り図柄の可変表示を開始すると判定した場合には、演出プロセスフラグの値が“１”に更新される。
【０２１０】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５における飾り図柄の可変表示や、その他の各種演出動作を行うために、特別図柄の変動パターンや表示結果の種類などに応じた確定飾り図柄や各種の演出制御パターンを決定する処理などを含んでいる。
【０２１１】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域（例えば演出制御タイマ設定部）に設けられた演出制御プロセスタイマにおけるタイマ値に対応して、ステップＳ１７１で決定された演出制御パターンから各種の制御データを読み出し、飾り図柄の可変表示中における各種の演出制御を行う。こうした演出制御を行った後、例えば特図変動時演出制御パターンから飾り図柄の可変表示終了を示す終了コードが読み出されたこと、あるいは、主基板１１から伝送される図柄確定コマンドを受信したことなどに対応して、飾り図柄の可変表示結果となる最終停止図柄としての確定飾り図柄を完全停止表示させる。確定飾り図柄を完全停止表示したときには、演出プロセスフラグの値が“３”に更新される。
【０２１２】
ステップＳ１７３の特図当り待ち処理は、演出プロセスフラグの値が“３”のときに実行される処理である。この特図当り待ち処理において、演出制御用ＣＰＵ１２０は、主基板１１から伝送された当り開始指定コマンドの受信があったか否かを判定する。そして、当り開始指定コマンドを受信したきに、その当り開始指定コマンドが大当り遊技状態の開始を指定するものであれば、演出プロセスフラグの値を大当り中演出処理に対応した値である“４”に更新する。また、当り開始指定コマンドを受信せずに、演出制御プロセスタイマがタイムアウトしたときには、特図ゲームにおける特図表示結果が「ハズレ」であったと判断して、演出プロセスフラグの値を初期値である“０”に更新する。
【０２１３】
ステップＳ１７６の大当り中演出処理は、演出プロセスフラグの値が“４”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御（大当りが発生したことを、例えば、画像表示装置５において報知する演出制御も含む。）を実行する。また、大当り中演出処理では、例えば主基板１１からの大当り遊技状態終了コマンドを受信したことに対応して、演出制御プロセスフラグの値をエンディング演出処理に対応した値である“５”に更新する。
【０２１４】
ステップＳ１７７のエンディング演出処理は、演出プロセスフラグの値が“５”のときに実行される処理である。このエンディング演出処理において、演出制御用ＣＰＵ１２０は、例えば大当り遊技状態の終了などに対応した演出制御パターン等を設定し、その設定内容に基づく演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグの値を初期値である“０”に更新する。
【０２１５】
図２２は、可変表示開始設定処理として、図１９のステップＳ１７１にて実行される処理の一例を示すフローチャートである。図２２に示す可変表示開始設定処理において、演出制御用ＣＰＵ１２０は、まず、例えば主基板１１から伝送された可変表示結果通知コマンドなどに基づいて、特図表示結果が「ハズレ」となるか否かを判定する（ステップＳ５０１）。特図表示結果が「ハズレ」となる旨の判定がなされたときには（ステップＳ５０１；Ｙｅｓ）、例えば主基板１１から伝送された変動パターン指定コマンドにより指定された変動パターンが、飾り図柄の可変表示態様をリーチ態様としない「非リーチ」の場合に対応した非リーチのハズレ変動パターン（例えば、ＰＡ１−１〜ＰＡ１−３、ＰＢ１−１〜ＰＢ１−２）であるか否かを判定する（ステップＳ５０２）。
【０２１６】
ステップＳ５０２にて非リーチのハズレ変動パターンであると判定された場合には（ステップＳ５０２；Ｙｅｓ）、非リーチ組合せを構成する最終停止図柄となる確定飾り図柄の組合せを決定する（ステップＳ５０３）。一例として、ステップＳ５０３の処理では、まず、乱数回路１２４またはＲＡＭ１２２の所定領域（例えば演出制御カウンタ設定部）に設けられた演出用ランダムカウンタ等により更新される左確定図柄決定用の乱数値を示す数値データを抽出し、ＲＯＭ１２１に予め記憶されて用意された左確定図柄決定テーブル（左確定図柄決定用の乱数値と比較される数値（決定値）が各左確定図柄に割り当てられたもの（以下、他の確定図柄決定テーブルなどについても適宜同様。））を参照することなどにより、確定飾り図柄のうち画像表示装置５の表示領域における「左」の飾り図柄表示エリア５Ｌに停止表示される左確定飾り図柄を決定する（例えば、左確定図柄決定用の乱数値に該当する決定値に割り当てられた飾り図柄を左確定図柄として決定（選択）する（以下、他の確定図柄の決定についても適宜同様。））。
【０２１７】
次に、乱数回路１２４または演出用ランダムカウンタ等により更新される右確定図柄決定用の乱数値を示す数値データを抽出し、ＲＯＭ１２１に予め記憶されて用意された右確定図柄決定テーブルを参照することなどにより、確定飾り図柄のうち画像表示装置５の表示領域における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃに停止表示される中確定飾り図柄を決定する。
【０２１８】
ステップＳ５０２にて非リーチのハズレ変動パターンではないと判定された場合（例えば、変動パターンがＰＡ２−１である場合）には（ステップＳ５０２；Ｎｏ）、リーチ組合せを構成する最終停止図柄となる確定飾り図柄の組合せを決定する（ステップＳ５０４）。一例として、ステップＳ５０４の処理では、まず、乱数回路１２４または演出用ランダムカウンタ等により更新される左右確定図柄決定用の乱数値を示す数値データを抽出し、ＲＯＭ１２１に予め記憶されて用意された左右確定図柄決定テーブルを参照することなどにより、確定飾り図柄のうち画像表示装置５の表示領域における「左」と「右」の飾り図柄表示エリア５Ｌ、５Ｒにて揃って停止表示される図柄番号が同一の飾り図柄を決定する。さらに、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０２１９】
ステップＳ５０１にて特図表示結果が「ハズレ」ではないと判定されたときには（ステップＳ５０１；Ｎｏ）、例えば主基板１１から伝送された可変表示結果通知コマンドなどに基づいて、特図表示結果が「大当り」となることがわかるので、次に大当たり種別が２Ｒ非確変大当り（「２Ｒ非確変大当り（時短１００回）」又は「２Ｒ非確変大当り（時短３０回）」であるか判定する（ステップＳ５０６Ａ）。一例として、主基板１１から伝送された変動パターン指定コマンドにより指定された変動パターンが２Ｒ非確変大当りに対応する変動パターンＰＡ３−１又はＰＡ３−３である場合には、２Ｒ非確変大当りと判定して（ステップＳ５０６Ａ；Ｙｅｓ）、ステップＳ５０４にてリーチハズレ組合せを構成する最終停止図柄となる確定飾り図柄の組合せを決定する。一方、大当り種別が「７Ｒ確変大当り」又は「１５Ｒ確変大当り」である場合は（ステップＳ５０６Ａ；Ｎｏ）、大当り組合せを構成する最終停止図柄となる確定飾り図柄の組合せを決定する（ステップＳ５０６）。一例として、ステップＳ５０６の処理では、まず、乱数回路１２４または演出用ランダムカウンタ等により更新される大当り確定図柄決定用の乱数値を示す数値データを抽出する。続いて、ＲＯＭ１２１に予め記憶されて用意された大当り確定図柄決定テーブル（大当り種別に応じて、大当り確定図柄決定用の乱数値と比較される数値（決定値）が、大当り確定図柄に割り当てられたもの）を参照することなどにより、大当り確定図柄決定用の乱数値に該当する決定値が大当り種別（可変表示結果通知コマンドなどに基づいて特定される。）に応じて割り当てられている図柄を、画像表示装置５の表示領域における「左」、「中」、「右」の飾り図柄表示エリア５Ｌ、５Ｃ、５Ｒに揃って停止表示される図柄番号が同一の飾り図柄（大当り確定図柄）として決定する。
【０２２０】
ステップＳ５０３、Ｓ５０４、Ｓ５０６の処理のいずれかを実行した後には、大当り遊技状態の終了後に確変状態に制御される可能性が高いことを示唆する予告演出を実行するか否かと、実行する場合に複数種類の予告演出の何れを実行するかを、予告演出決定テーブルを参照して決定する処理（予告演出決定処理）を実行する（ステップＳ５０７）。予告演出決定テーブルでは、例えば、図２３に示すように、乱数値ＳＲ２（１〜１００まで）と比較される数値（決定値）が、予告演出の実行内容それぞれに割り当てられていればよい。
【０２２１】
ここで、図２３に示す予告演出決定テーブルでは、大当り種別が「７Ｒ確変」又は「１５Ｒ確変」である場合、大当り種別が「２Ｒ非確変（時短回数１００回）」又は「２Ｒ非確変（時短回数３０回）」である場合よりも高い割合で、予告演出が実行されるように設定されている。このため、予告演出が実行された場合には、予告演出が実行されない場合より、大当り遊技状態の終了後に確変状態に制御される可能性が高くなる。
【０２２２】
また、予告演出決定テーブルでは、大当り種別が「１５Ｒ確変」である場合には、「７Ｒ確変」である場合よりも高い割合で予告演出が実行されるように設定されている。このため、特図表示結果を「大当り」とすると決定された場合において、大当り種別を「１５Ｒ確変」とすると決定されて第２特定演出が実行されるときには、大当り種別「７Ｒ確変」とすると決定されて第１特定演出が実行されるときよりも高い割合で、予告演出が実行される。そして、上述したように、第２特定演出が実行された場合には、飾り図柄の可変表示結果が大当りとなれば、１５Ｒ大当り遊技状態に制御されるため、付与される価値は高くなるが、飾り図柄の可変表示結果が大当りとなって１５Ｒ大当り遊技状態に制御される可能性、換言すれば大当り遊技状態の終了後に確変状態となる可能性は低くなっている。その一方で、第１特定演出が実行された場合には、飾り図柄の可変表示結果が大当りとなれば、７Ｒ大当たり遊技状態に制御されるため、付与される価値は低くなるが、飾り図柄の可変表示結果が大当りとなって１５Ｒ大当り遊技状態に制御される可能性、換言すれば大当り遊技状態に終了後に有利状態となる可能性が高くなっている。これにより、予告演出が実行されるか否かによって、第１特定演出及び第２特定演出のうちのいずれが実行されるか、さらに言えば、付与される価値の高さや、大当り遊技状態の終了後に確変状態に制御される可能性が異なってくるため、遊技者は予告演出の有無に注目するようになり、遊技の興趣が向上する。
【０２２３】
また、第２特定演出の演出結果が「当り」となる割合が、予告演出が実行されない場合の第１特定演出よりも高くなる。第１特定演出の演出結果が「当り」となる確率は、図１０（Ｂ）の「２Ｒ非確変（時短１００回）」又は「７Ｒ確変」となる割合（５０）に対する「７Ｒ確変」となる割合（４５）の比であるので、５０分の４５（９０％）である。図２３では、普通予告演出又は特定予告演出が実行された場合であって、かつ第２特定演出が実行されたときに、演出結果が「超当り」となる割合は、第１特定演出が実行された場合に、演出結果が「当り」となる割合（９０％）より大きくなるように設定されている。このような構成によれば、予告演出の価値が高くなるので、予告演出が実行されるか否かへの遊技者の関心を高めることができる。特に、特定予告演出は実行されれば必ず演出結果が「当り」となるので、特定予告演出が実行されることへの遊技者の期待感を特に高めることが出来る。
【０２２４】
予告演出決定テーブルの設定では、大当り種別が「７Ｒ確変」又は「１５Ｒ確変」である場合、特定予告演出に対して決定値が割り当てられている一方で、大当り種別が「２Ｒ非確変（時短１００回）」又は「２Ｒ非確変（時短３０回）」である場合には、特定予告演出に対して決定値が割り当てられていない。このため、特定予告演出は、大当り種別が「７Ｒ確変」又は「１５Ｒ確変」にすると決定されたこと条件に実行される。これにより、特定予告演出が実行された場合に必ず７Ｒ大当り遊技状態又は１５Ｒ大当り遊技状態を経て確変状態に制御されるので、遊技者に対して特定予告演出が実行されることへの高い期待感を与えることができ、遊技の興趣がさらに向上する。
【０２２５】
また、図２３の設定では、予告演出が実行された場合であって第２特定演出が実行されたときに、大当り遊技状態終了後に確変状態に制御される割合が、予告演出が実行されない場合であって第１特定演出が実行されたときに、確変状態に制御される割合よりも高くなる。具体的には、予告演出と第２特定演出とが実行され、かつ通常状態に制御される場合の数は、１００回の大当りにつき、２５回（大当り種別が２Ｒ非確変（時短３０回）となる数）×０．０５（２Ｒ非確変（時短３０回）時に予告演出が実行される割合）＝１．２５回である。一方、予告演出と第２特定演出とが実行され、かつ確変状態に制御される場合の数は、１００回の大当りにつき、２５（大当り種別が１５Ｒ確変となる数）×０．６５（１５Ｒ確変時に予告演出が実行される割合）＝１６．２５回である。よって、普告演出が実行された場合に、第２特定演出が実行されたときには、約９３％（１６．２６／（１．２５＋１５））の割合で確変状態に制御される。一方、予告演出が実行されずに第１特定演出が実行され、かつ通常状態に制御される場合の数は、大当り１００回につき、５回（大当り種別が２Ｒ非確変（時短１００回）となる割合）×０．０５（２Ｒ非確変（時短１００回）時に予告演出が実行される割合）＝０．２５回である。一方、予告演出が実行されずに第１特定演出が実行され、かつ確変状態に制御される場合の数は、大当り１００回につき４５回（大当り種別が７Ｒ確変となる割合）×０．８（７Ｒ確変時に予告演出が実行される割合）＝３６回である。よって、予告演出が実行されない場合に、第１特定演出が実行されたときには、約８８％（３６／（０．２５＋３６）の割合で確変状態に制御される。
このような構成によれば、予告演出が実行されれば本来確変状態に制御される割合が低い第２特定演出に発展した場合でも、予告演出が実行されない場合に本来確変状態に制御される割合が高い第１特定演出に発展した場合よりも高くなる。このため、予告演出が実行されるか否かへの遊技者の関心を高めることができる。
【０２２６】
なお、予告演出の種別毎に考えれば、普通予告演出及び特定予告演出のそれぞれについても、その予告演出が実行されれば本来確変状態に制御される割合が低い第２特定演出に発展した場合でも、予告演出が実行されない場合に本来確変状態に制御される割合が高い第１特定演出に発展した場合よりも高くなる。具体的には、同様の計算により、普通予告演出が実行された場合であって第２特定演出が実行されたときに確変状態に制御される割合は、約９２％の割合で確変状態に制御される。特定予告演出については、予告演出が実行された場合であって第２特定演出が実行されたときには１００％確変状態に制御されるので、確変状態に制御される割合は、当然予告演出が実行されない場合であって第１特定演出が実行されたときに、確変状態に制御される割合よりも高い。このように価値の高い予告演出を実行することにより、予告演出への遊技者の関心を高める事が出来る。なお、普通予告演出及び特定予告演出の他に、その予告演出が実行された場合に第２特定演出が実行されときには、予告演出が実行されない場合に第１特定演出が実行されたときよりも低い確率で確変状態に制御される、価値の低い予告演出を実行しても良い。
【０２２７】
ステップＳ５０９のあと、演出制御用ＣＰＵ１２０は、例えば変動パターン指定コマンドにより指定された変動パターンに対応して、ＲＡＭ１２２の所定領域（演出制御タイマ設定部）に設けられた演出制御プロセスタイマの初期値（その変動パターンの特図変動時間に応じた値）を設定する（ステップＳ５１０）。
【０２２８】
そして、画像表示装置５における飾り図柄などの変動を開始させる設定を行う（ステップＳ５１１）。このときには、例えばステップＳ５１０にて使用パターンとして決定された演出制御パターンに含まれる表示制御データが指定する表示制御指令を表示制御部１２３のＶＤＰ等に対して伝送させることなどにより、画像表示装置５の表示領域に設けられた「左」、「中」、「右」の各飾り図柄表示エリア５Ｌ、５Ｃ、５Ｒにて飾り図柄の変動を開始させればよい。その後、演出プロセスフラグの値を可変表示中演出処理に対応した値である“２”に更新してから（ステップＳ５１２）、可変表示開始設定処理を終了する。
【０２２９】
図２４は、可変表示中演出処理として、図１９のステップＳ１７２にて実行される処理の一例を示すフローチャートである。図２４に示す可変表示中演出処理において、演出制御用ＣＰＵ１２０は、まず、例えば演出制御パターンの演出制御プロセスタイマ値などに基づいて、変動パターンに対応した可変表示時間が経過したか否かを判定する（ステップＳ５２１）。一例として、ステップＳ５２１の処理では、演出制御プロセスタイマ値を更新（例えば１つ減算）し、更新後の演出制御プロセスタイマ値に対応して演出制御パターンから終了コードが読み出されたときなどに、可変表示時間が経過したと判定すればよい。
【０２３０】
ステップＳ５２１にて可変表示時間が経過していない場合には（ステップＳ５２１；Ｎｏ）、演出制御用ＣＰＵ１２０は、例えば変動パターンに対応してステップＳ５０９で選択された演出制御パターンにおける設定などに基づいて、飾り図柄の可変表示動作を含めた演出動作制御（リーチ演出、バトル演出なども含む）を行ってから（ステップＳ５２２）、可変表示中演出処理を終了する。ステップＳ５２２では、例えば、演出制御パターンなどから読み出した演出制御実行データ（例えば表示制御データなど）に応じて、所定の演出態様による演出（リーチ演出なども含む。）を実行するために、各種指令を作成して表示制御部１２３などに対して伝送させる。
【０２３１】
一方、可変表示時間が経過した場合には（ステップＳ５２１；Ｙｅｓ）、演出制御用ＣＰＵ１２０は、主基板１１から伝送される図柄確定コマンドの受信があったか否かを判定する（ステップＳ５３０）。このとき、図柄確定コマンドの受信がなければ（ステップＳ５３０；Ｎｏ）、可変表示中演出処理を終了する。なお、可変表示時間が経過した後、図柄確定コマンドを受信することなく所定時間が経過した場合には、図柄確定コマンドを正常に受信できなかったことに対応して、所定のエラー処理が実行されるようにしてもよい。
【０２３２】
ステップＳ５２９にて図柄確定コマンドの受信があった場合には（ステップＳ５３０；Ｙｅｓ）、演出制御用ＣＰＵ１２０は、例えば表示制御部１２３のＶＤＰ等に対して所定の表示制御指令を伝送させることといった、飾り図柄の可変表示において表示結果となる最終停止図柄（確定飾り図柄）を導出表示させる制御を行う（ステップＳ５３８）。そして、演出制御用ＣＰＵ１２０は、当り開始指定コマンド受信待ち時間として予め定められた一定時間を設定する（ステップＳ５４０）。そして、演出プロセスフラグの値を特図当り待ち処理に対応した値である“３”に更新してから（ステップＳ５４１）、可変表示中演出処理を終了する。
【０２３３】
上記一連の処理によって飾り図柄の可変表示などが実行されることになる。ここで、画像表示装置５の表示領域に表示される画像の例を図２５から図２８に示す。図２５は、７Ｒ確変となった場合に実行される第１特定演出（変動パターンＰＡ３−２に対応）の例を示す。第１特定演出は、図２５及び図２６の（Ｄ）〜（Ｇ）のようなノーマルルーレット演出を含む。図２５の例では、まず飾り図柄が「左」、「中」、「右」の飾り図柄表示エリア５Ｌ、５Ｃ、５Ｒにて変動表示される（Ａ）。そして、大当り組み合せ（この例では「３」）の飾り図柄が、「左」、「右」の飾り図柄表示エリア５Ｌ、５Ｒで停止表示され、リーチ状態となる（Ｂ）。このとき、予告演出（普通予告演出又は特定予告演出）として、画像表示装置５の表示領域をキャラクタが横切るように表示される演出が実行される場合がある（Ｃ）。その後、ノーマルルーレット演出又はスーパールーレット演出の何れが実行されるかを煽る画面が表示され（Ｄ）、ノーマルルーレット演出が実行されることを示す画面が表示される（Ｅ）。そして、第１特定演出の演出結果として、２Ｒ非確変（時短１００回）（演出結果はハズレ）と７Ｒ確変（演出結果は当り）となる割合が表示される（Ｆ）。最後に、「当り」の領域に矢が刺さる画像を表示して、第１特定演出の演出結果が「当り」であることを遊技者に示した上で、大当り組み合せ（「３３３」）の飾り図柄が確定組合せとして導出表示される（Ｇ）。
【０２３４】
図２６は、２Ｒ非確変（時短１００回）となった場合に実行される第１特定演出（変動パターンＰＡ３−１に対応）の例を示す。図２６の例では、まず飾り図柄が「左」、「中」、「右」の飾り図柄表示エリア５Ｌ、５Ｃ、５Ｒにて変動表示される（Ａ）。そして、大当り組み合せ（この例では「３」）の飾り図柄が、「左」、「右」の飾り図柄表示エリア５Ｌ、５Ｒで停止表示され、リーチ状態となる（Ｂ）。このとき、予告演出（普通予告演出又は特定予告演出）として、画像表示装置５の表示領域をキャラクターが横切るように表示される演出が実行される場合がある（Ｃ）。その後、ノーマルルーレット演出又はスーパールーレット演出の何れが表示されるかを煽る画面が表示され（Ｄ）、ノーマルルーレット演出が実行されることを示す画面が表示される（Ｅ）。そして、第１特定演出の演出結果として、２Ｒ非確変（時短１００回）（演出結果はハズレ）と７Ｒ確変（演出結果は当り）となる割合が表示される（Ｆ）。最後に、「ハズレ」の領域に矢が刺さる画像を表示して、第１特定演出の演出結果「ハズレ」であることを遊技者に示した上で、リーチハズレ組み合せ（「３４３」など）が確定組合せとして導出表示される（Ｇ）。
【０２３５】
図２７は、１５Ｒ確変となった場合に実行される第２特定演出（変動パターンＰＡ３−４に対応）の例を示す。第２特定演出は、図２７及び図２８の（Ｄ）〜（Ｇ）のようなスーパールーレット演出を含む。図２７の例では、まず飾り図柄が「左」、「中」、「右」の飾り図柄表示エリア５Ｌ、５Ｃ、５Ｒにて変動表示される（Ａ）。そして、１５Ｒ確変組み合せ（この例では「３」）の飾り図柄が、「左」、「右」の飾り図柄表示エリア５Ｌ、５Ｒで停止表示され、リーチ状態となる（Ｂ）。このとき、予告演出（普通予告演出又は特定予告演出）として、画像表示装置５の表示領域をキャラクタが横切るように表示される演出が実行される場合がある（Ｃ）。その後、ノーマルルーレット演出又はスーパールーレット演出の何れが実行されるかを煽る画面が表示され（Ｄ）、スーパールーレット演出が実行されることを示す画面が表示される（Ｅ）。そして、第２特定演出の演出結果として、２Ｒ非確変（時短３０回）（演出結果はハズレ）と１５Ｒ確変（演出結果は当り）となる割合が表示される（Ｆ）。最後に、「当り」の領域に矢が刺さる画像を表示して、第２特定演出の演出結果「当り」であることを遊技者に示した上で、大当り組み合せ（「３３３」）の飾り図柄が確定組合せとして導出表示される（Ｇ）。
【０２３６】
図２８は、２Ｒ非確変（時短３０回）となった場合に実行される第２特定演出（スーパールーレット演出、変動パターンＰＡ３−３に対応）の例を示す。図２８の例では、まず飾り図柄が「左」、「中」、「右」の飾り図柄表示エリア５Ｌ、５Ｃ、５Ｒにて変動表示される（Ａ）。そして、大当り組み合せ（この例では「３」）の飾り図柄が、「左」、「右」の飾り図柄表示エリア５Ｌ、５Ｒで停止表示され、リーチ状態となる（Ｂ）。このとき、予告演出（普通予告演出又は特定予告演出）として、画像表示装置５の表示領域をキャラクターが横切るように表示される演出が実行される場合がある（Ｃ）。その後、ノーマルルーレット演出又はスーパールーレット演出の何れが実行されるかを煽る画面が表示され（Ｄ）、スーパールーレット演出が実行されることを示す画面が表示される（Ｅ）。そして、第２特定演出の演出結果として、２Ｒ非確変（時短３０回）（演出結果はハズレ）と１５Ｒ確変（演出結果は当り）となる割合が表示される（Ｆ）。最後に、「ハズレ」の領域に矢が刺さる画像を表示して、第２特定演出の演出結果「ハズレ」であることを遊技者に表示した上で、リーチハズレ組み合せ（「３４３」など）が確定組合せとして導出表示される（Ｇ）。
【０２３７】
以上説明したように、この実施の形態のパチンコ遊技機１では、第２特定演出が実行された場合、飾り図柄の可変表示結果が大当りとなれば、１５Ｒ大当り遊技状態に制御されるため、付与される価値は高くなるが、飾り図柄の可変表示結果が大当りとなって１５Ｒ大当り遊技状態に制御される可能性、換言すれば大当り遊技状態の終了後に確変状態となる可能性は低くなっている。その一方で、第１特定演出が実行された場合には、飾り図柄の可変表示結果が大当りとなれば、７Ｒ大当たり遊技状態に制御されるため、付与される価値は低くなるが、飾り図柄の可変表示結果が大当りとなって１５Ｒ大当り遊技状態に制御される可能性、換言すれば大当り遊技状態に終了後に有利状態となる可能性が高くなっている。そして、特図表示結果を「大当り」とすると決定された場合において、大当り種別を「１５Ｒ確変」とすると決定されて第２特定演出が実行されるときには、大当り種別「７Ｒ確変」とすると決定されて第１特定演出が実行されるときよりも高い割合で、予告演出が実行される。これにより、予告演出が実行されるか否かによって、第１特定演出及び第２特定演出のうちのいずれが実行されるか、さらに言えば、付与される価値の高さや、大当り遊技状態の終了後に確変状態に制御される可能性が異なってくるため、遊技者は予告演出の有無に注目するようになり、遊技の興趣が向上する。
【０２３８】
また、予告演出が実行された場合に第２特定演出から確変状態となる割合が、予告演出が実行されない場合に第１特定演出が実行された場合に確変状態となる割合よりも大きくなる。そのため、予告演出の価値が高く、遊技者が予告演出が実行されるか否かにより注目するようになり、遊技の興趣が向上する。
【０２３９】
また、特定予告演出は、大当り種別が「７Ｒ確変」又は「１５Ｒ確変」にすると決定されたこと条件に実行される。これにより、特定予告演出が実行された場合には必ず７Ｒ大当り遊技状態又は１５Ｒ大当り遊技状態を経て確変状態に制御されるので、遊技者に対して特定予告演出が実行されることへの高い期待感を与えることができ、遊技の興趣がさらに向上する。
【０２４０】
また、第１特定演出が実行された場合、飾り図柄の可変表示結果がリーチハズレとなって２Ｒ大当り遊技状態に制御されたときには、その終了後、１００回の特図ゲームが実行されることを時短終了条件とする時短状態に制御される。これに対して、第２特定演出が実行された場合、飾り図柄の可変表示結果がリーチハズレとなって２Ｒ大当り遊技状態に制御されたときには、その終了後、３０回の特図ゲームが実行されることを時短終了条件とする時短状態に制御されるため、第１特定演出が実行された場合よりも付与される価値が小さくなる。このように、第２特定演出が実行された場合に１５Ｒ大当り遊技状態に制御されて確変状態にならないときには、付与される価値が小さくなるため、第２特定演出がハイリスクハイリターンとなる。その結果、第２特定演出によって強く遊技者の期待感を煽ることができる。
【０２４１】
確変状態に制御されているときには、２Ｒ大当り遊技状態に制御される可能性、すなわち確変状態が終了することを予告する不利先読み演出を実行しやすくする一方で、確変状態に制御されていないときには、７Ｒ大当り遊技状態又は１５Ｒ大当り遊技状態に制御される可能性、すなわち確変状態に制御されることを予告する有利先読み演出を実行しやすくしている。これにより、遊技者が注目する先読み予告演出を効果的に実行することができ、遊技の興趣を向上させることができる。
【０２４２】
この発明は、上記実施の形態などに限定されず、上記実施の形態などについて様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。以下に上記実施の形態の変形例を例示するが、各変形例は適宜組み合わせることができる。
【０２４３】
（変形例１）
特定演出は、大当り遊技状態の終了後に確変状態に制御されるか（演出結果が「当り」）か、大当り遊技状態の終了後に確変状態に制御されないか（演出結果が「ハズレ」）、のいずれであるかを報知する演出であれば良く、その演出態様はどのようなものであって良い。上記実施の形態では、ルーレット演出について主に説明したが、キャラクタが戦うバトル演出や、くじ引きを行う演出など、任意の演出態様であって良い。また、先読み演出は、２Ｒ大当り遊技状態と、７Ｒ大当り遊技状態又は１５Ｒ大当り遊技状態と、のいずれかに制御される可能性を予告する予告演出であればよく、その演出態様はどのようなものであってもよい。例えば、先読み演出は、先読みターゲットの可変表示よりも前に実行される１以上の可変表示において、所定の画像を表示するなどして、複数種の特定遊技状態のいずれかに制御される可能性を予告するものであってもよい。また、先読み演出は、例えば、図示しない可動部材を動作させることによって実行されるものであってもよい。例えば、パチンコ遊技機１の所定箇所に移動可能に設けられた可動部材を、画像表示装置５の表示領域に進出させ、当該表示領域の少なくとも一部を覆わせるような演出を、先読み演出の一態様としてもよい。また、先読み演出は、上記画像表示や可動部材などに加えて又は代えて、スピーカ８Ｌ、８Ｒ及び遊技効果ランプ９や装飾用ＬＥＤといった演出用の電気部品による効果音の出力や発光体の点灯を行うものであってもよい。更に、予告演出は、大当り遊技状態の終了後に確変状態に制御される可能性が高いことを示唆する演出であれば良く、その演出態様はどのようなものであって良い。上記実施の形態では、表示領域をキャラクタが横切る演出として説明したが、これに限らず、遊技領域に備えられた可動装置（いわゆる役物）が変形する演出であっても良いし、所定のストーリーにそった画像が複数段階にわたって表示されるステップアップ予告であっても良い。このとき、途中の段階で画像の表示が止まるステップアップ予告演出を普通予告演出と設定し、最後の段階まで画像が表示されるステップアップ予告演出を特定予告演出と設定しても良い。
【０２４４】
（変形例２）
また、上記実施の形態では、特図表示結果を「大当り」とすると決定された場合において、大当り種別を「１５Ｒ確変」とすると決定されて第２特定演出が実行されるときには、大当り種別「７Ｒ確変」とすると決定されて第１特定演出が実行されるときよりも高い割合で、大当り遊技状態の終了後に確変状態に制御される可能性が高いことを示唆する予告演出が実行されるものとして説明した。しかしながら、この発明はこれに限定されるものではなく、特図表示結果を「大当り」とすると決定された場合において、大当り種別を「１５Ｒ確変」とすると決定されて第２特定演出が実行されるときには、大当り種別「７Ｒ確変」とすると決定されて第１特定演出が実行されるときよりも高い割合で、先読み予告演出が実行されてもよい。このとき、例えば図２３の予告演出決定テーブルの「予告演出」を「先読み演出」に読み替えたテーブルを予めＲＯＭ１２１に記憶しておき、このテーブルを参照して先読み演出の実行の有無、及び実行される先読み演出の種別を決定すれば良い。
【０２４５】
（変形例３）
上記の実施形態は、保留表示図柄の表示を一度行ってから先読み演出を実行していたが、先読み演出と保留表示図柄の表示とを同時に行うようにしてもよい。例えば、図２０のステップＳ１６１のステップＳ６５８において図１７のステップＳ６８３の処理も行うようにし、先読み演出の実行がない場合には、そのまま保留表示図柄の表示を行い、先読み演出の実行がある場合には、実行する先読み演出に応じた数字（「５」又は「１５」）を含む保留表示図柄の表示を行うようにしてもよい。
【０２４６】
（変形例４）
第１特図保留記憶部といったＲＡＭ１０２の所定領域に記憶されている保留データと、第２特図保留記憶部といったＲＡＭ１０２の所定領域に記憶されている保留データと、を保留データの記憶順で使用して特図ゲームを行うようにしてもよい。この場合、例えば、保留情報や保留データは、第１と第２の区別なく共通の保留番号（保留情報の格納順序を表す番号でもあり、例えば、「１」から「８」）に対応させて保留情報バッファや保留記憶部に格納順に格納するようにする。この場合、保留表示も第１特図と第２特図とで分けなくてよい。
【０２４７】
（変形例５）
これらの他にも、パチンコ遊技機１といった遊技機の装置構成、データ構成、フローチャートで示した処理、所定の入賞装置に進入した遊技球の個数に対応して異なる遊技価値を付与するための遊技制御または演出制御を含めた各種の制御内容などは、本発明の趣旨を逸脱しない範囲で、任意に変更及び修正が可能である。
【０２４８】
（変形例６）
パチンコ遊技機１は、遊技者に賞球となる遊技球が払い出され、払い出された遊技球（貸し球の場合もある）を遊技領域に発射して遊技が行われる遊技機であってもよいし、遊技に使用するための得点が付与されて、この得点を使用してパチンコ遊技機１の内部に封入された遊技球を遊技領域に打ち込んで遊技が行われる遊技機であってもよい。すなわち、遊技領域に設けられた始動領域を遊技媒体が通過したことに基づいて、各々が識別可能な複数種類の識別情報の可変表示を行い表示結果を導出する可変表示手段に予め定められた特定表示結果が導出されたときに、遊技者にとって有利な特定遊技状態に制御する遊技機において、所定の遊技に用いられる得点が０でないときに、この得点を使用して遊技機内に封入された遊技媒体を遊技領域に打ち込んで遊技が行われ、遊技媒体の打ち込みに応じて得点が減算され、遊技領域に設けられた入賞領域を遊技媒体が通過（進入）することに応じて得点を加算する遊技機にも本発明を適用できる。こうした遊技機は、得点の加算に使用可能な遊技用価値の大きさを特定可能な情報が記録された遊技用記録媒体を挿入するための遊技用記録媒体挿入口と、遊技用記録媒体挿入口に挿入された遊技用記録媒体の記録情報を読み出す遊技用記録媒体処理手段を備えてもよい。
【０２４９】
（変形例７）
第１又は第２始動口入賞指定コマンドのつぎに、入賞時判定結果指定コマンドが送信され、第１又は第２保留記憶数通知コマンドが最後に送信されるものとされている場合などには、第１又は第２始動口入賞指定コマンドの受信後、予め定められた受信待ち時間が経過するより前に、保留記憶数通知コマンドを演出制御基板１２側で受信できた場合には、始動口入賞指定コマンドに対応するコマンドとして正常な受信期間内に受信できたものとなる。一方、受信待ち時間が経過してから保留記憶数通知コマンドを受信した場合や、経過時間の計測が行われていないのに保留記憶数通知コマンドを受信した場合には、正常な受信期間内に受信できなかったとして、あるいは、始動口入賞指定コマンド、入賞時判定結果指定コマンドが欠落しているとして、コマンドの受信時点における特図保留記憶数と保留情報の記憶数の相違は矛盾（不整合）となり得る。入賞時判定結果指定コマンドは、第１又は第２始動口入賞指定コマンドそれぞれに含まれてもよい（上記実施形態などでも同様。）。
【０２５０】
このように、主基板１１から演出制御基板１２に伝送される第１又は第２保留記憶数通知コマンドが通知する保留記憶数と、第１又は第２保留情報バッファに格納された保留情報の記憶数が不整合である場合がある。例えば、第１保留記憶数通知コマンドで通知された第１特図保留記憶数よりも保留表示番号の方が大きな値になっており、主基板１１から通知された第１特図保留記憶数が第１保留情報バッファの記憶内容から特定される保留情報の数と矛盾（不整合）する場合がある。なお、飾り図柄の可変表示が開始されるときには各保留情報のシフトが行われることから、保留記憶数通知コマンドで通知された保留記憶数よりも保留情報の記憶数が小さくなっても直ちに矛盾（不整合）とはならない。ただし、コマンドの受信時点における特図保留記憶数と保留情報の記憶数の相違は矛盾（不整合）となり得る。
【０２５１】
演出制御用ＣＰＵ１２０は、図１７のコマンド解析処理などにおいて、始動入賞の発生に基づく受信コマンド（始動口入賞指定コマンド、入賞時判定結果指定コマンド、保留記憶数通知コマンド）の順序と内容をチェックし、各コマンドが正常に受信できたか否か（例えば、各コマンドの少なくとも１つが正常に受信できないかなど）を判定するとよい。この判定処理では、例えば始動口入賞指定コマンドと保留記憶数通知コマンドの受信が順番通りであるか否か、いずれも欠落なく受信できたか否か、受信コマンドの内容に矛盾（不整合）がないか（特図保留記憶数と保留情報の記憶数の相違は矛盾（不整合）となりうるか）などの確認を行い、いずれか１つでも否定された場合には、正常に受信できなかったと判定すればよい。
【０２５２】
具体的な一例として、第１保留情報バッファにおける保留表示番号「２」の格納領域に保留情報が格納されており、第１特図保留記憶数が「１」であることを通知する第１保留記憶数通知コマンドが受信された場合には、第１保留情報バッファの保留情報の記憶数と、第１保留記憶数通知コマンドにより通知された第１特図保留記憶数との相違が許容されない場合であるとして、保留記憶数通知コマンドの内容に矛盾（不整合）があると判断すればよい。
【０２５３】
各コマンドの受信が順番通りであること、いずれも欠落なく受信できたこと、受信コマンドの内容に矛盾（不整合）がないことのうち、いずれか１つでも否定された場合に異常が発生したと判定するものに限定されず、例えばいずれか２つが否定された場合に異常が発生したと判定するようにしてもよい。あるいは、すべてが否定された場合に異常が発生したと判定するようにしてもよい。演出制御用ＣＰＵ１２０は、各コマンドを正常に受信できなかった場合には、異常が発生したとして、図２０の先読み演出設定処理を行わないようにしてもよい。なお、演出制御用ＣＰＵ１２０は、異常が発生したと判定した時点で、第１保留情報バッファ及び第２保留情報バッファに記憶されている保留情報全てにフラグを立てるなどしてチェックを入れ、これら保留情報が全て消化されるまでの期間において、図２０の先読み演出設定処理を行わないようにしてもよい。
【０２５４】
上記で例示したように、パチンコ遊技機１において、可変表示手段は、始動領域のうち第１始動領域（例えば普通入賞球装置６Ａが形成する第１始動入賞口など）を遊技媒体が通過したことに基づいて、各々を識別可能な複数種類の識別情報（例えば第１特図となる特別図柄など）の可変表示を行い表示結果を導出する第１可変表示手段（例えば第１特別図柄表示装置４Ａなど）と、始動領域のうち第２始動領域（例えば普通可変入賞球装置６Ｂが形成する第２始動入賞口など）を遊技媒体が通過したことに基づいて、各々を識別可能な複数種類の識別情報（例えば第２特図となる特別図柄など）の可変表示を行い表示結果を導出する第２可変表示手段（例えば第２特別図柄表示装置４Ｂなど）と、を含み（なお、可変表示手段や、始動領域は、１つであってもよい。以下、同じ。）、さらにパチンコ遊技機１は、少なくとも保留記憶手段を含み、第１可変表示手段及び第２可変表示手段を制御し、遊技の進行を制御する遊技制御手段（例えば主基板１１に搭載された遊技制御用マイクロコンピュータ１００など）と、少なくとも予告演出実行手段（例えば、先読み演出を実行する手段）を含み、前記遊技制御手段からの情報（例えば演出制御コマンドなど）に基づいて前記可変表示手段における可変表示に対応した演出（例えば飾り図柄の可変表示など）を実行する演出装置（例えば画像表示装置５など）を制御する演出制御手段（例えば演出制御基板１２に搭載された演出制御用ＣＰＵ１２０など）とを備え、前記遊技制御手段は、前記保留記憶手段が記憶する決定用情報が増加したことを認識可能に保留記憶情報（例えば第１保留記憶数通知コマンド、第２保留記憶数通知コマンドなど）を送信する保留記憶情報送信手段（例えばコマンドの送信設定や送信処理を行うＣＰＵ１０３など）と、前記判定手段の判定結果を示す判定結果情報（例えば、入賞時判定結果指定コマンドなど）を送信する判定結果情報送信手段（例えば入賞時判定結果指定コマンドの送信設定や送信処理を行うＣＰＵ１０３など）とを含み、前記予告演出実行手段は、判定結果情報送信手段が送信した判定結果に基づいて予告演出を実行可能であり、前記演出制御手段は、前記始動領域のうち前記第１始動領域と前記第２始動領域のいずれを遊技媒体が通過したことに基づき決定用情報が増加したかを特定可能な保留記憶情報を正常に受信することができなかった場合（例えば、上記説明参照）に、前記予告演出実行手段が予告演出を実行することを制限（例えば、禁止）する演出制限手段（例えば、上記説明参照）を含んでもよい。このような構成によって、コマンド異常があった場合には、予告演出（例えば、先読み演出）の実行が制限されるので、間違った予告演出が実行されにくくなり（又は実行されなくなり）、遊技者の予告演出への信頼感が向上し、遊技の興趣が向上する。
【０２５５】
また、上記で例示したように、演出制限手段は、保留記憶情報送信手段により送信される保留記憶情報に基づいて、保留記憶手段が記憶する決定用情報に対応する対応情報（例えば、保留情報）を所定の記憶手段（ＲＡＭ１２２の第１保留情報バッファ及び第２保留情報バッファなど）に格納しておき、前記所定の記憶手段に格納された対応情報及び保留記憶手段に格納された決定用情報は、これらに対応する可変表示が実行されたときに消化され、演出制限手段は、保留記憶情報を正常に受信することができなかったときに前記所定の記憶手段に格納された対応情報がすべて消化されるまで、前記予告演出実行手段が予告演出を実行することを制限するようにするとよい。これによって、適切な期間において、予告演出（例えば、先読み演出）の実行が制限されるので、遊技者の予告演出への信頼感が向上し、遊技の興趣が向上する。
【０２５６】
（変形例９）
上記実施の形態においては、変動時間及びリーチ演出の種類や擬似連の有無等の変動態様を示す変動パターンを演出制御マイクロコンピュータに通知するために、変動を開始するときに1つの変動パターンコマンドを送信する例を示したが、2つ乃至それ以上のコマンドにより変動パターンを演出制御マイクロコンピュータに通知する様にしてもよい。具体的には、2つのコマンドにより通知する場合、遊技制御マイクロコンピュータは、1つ目のコマンドではリーチとなる以前（リーチとならない場合には所謂第2停止の前）の変動時間や変動態様を示すコマンドを送信し、2つ目のコマンドではリーチの種類や再抽選演出の有無等、リーチとなった以降（リーチとならない場合には所謂第2停止の後）の変動時間や変動態様（特定演出の有無及びその種類等）を示すコマンドを送信する様にしてもよい。この場合、演出制御マイクロコンピュータは2つのコマンドの組合せから導かれる変動時間にもとづいて変動表示における演出制御を行うようにすればよい。尚、遊技制御用マイクロコンピュータの方では2つのコマンドのそれぞれにより変動時間を通知し、それぞれのタイミングで実行される具体的な変動態様については演出制御マイクロコンピュータの方で選択を行う様にしてもよい。2つのコマンドを送る場合、同一のタイマ割込内で2つのコマンドを送信する様にしてもよく、1つ目のコマンドを送信した後、所定期間が経過してから（例えば次のタイマ割込において）2つ目のコマンドを送信する様にしてもよい。尚、それぞれのコマンドで示される変動態様はこの例に限定されるわけではなく、送信する順序についても適宜変更可能である。このように2つ乃至それ以上のコマンドにより変動パターンを通知する様にすることで、変動パターンコマンドとして記憶しておかなければならないデータ量を削減することができる。
【符号の説明】
【０２５７】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
2014030624.tif 000003
【図２】
2014030624.tif 000004
【図３】
2014030624.tif 000005
【図４】
2014030624.tif 000006
【図５】
2014030624.tif 000007
【図６】
2014030624.tif 000008
【図７】
2014030624.tif 000009
【図８】
2014030624.tif 000010
【図９】
2014030624.tif 000011
【図１０】
2014030624.tif 000012
【図１１】
2014030624.tif 000013
【図１２】
2014030624.tif 000014
【図１３】
2014030624.tif 000015
【図１４】
2014030624.tif 000016
【図１５】
2014030624.tif 000017
【図１６】
2014030624.tif 000018
【図１７】
2014030624.tif 000019
【図１８】
2014030624.tif 000020
【図１９】
2014030624.tif 000021
【図２０】
2014030624.tif 000022
【図２１】
2014030624.tif 000023
【図２２】
2014030624.tif 000024
【図２３】
2014030624.tif 000025
【図２４】
2014030624.tif 000026
【図２５】
2014030624.tif 000027
【図２６】
2014030624.tif 000028
【図２７】
2014030624.tif 000029
【図２８】
2014030624.tif 000030